(57)【特許請求の範囲】
【請求項１】
携帯式手持ち可能で治療効果の動的最適化のための細胞もしくは組織励起端末であって、前記励起端末は、
中央処理ユニット（ＣＰＵ）と、
前記ＣＰＵに接続され、人体状態情報を検知するのに使われる人体状態検知装置と、
一以上の電磁（ＥＭ）波形成器と、
前記励起端末内で機器を作動させる電力を供給するのに使われる電源装置と、を有し、
各前記ＥＭ波形成器は、前記ＣＰＵに接続され、前記ＣＰＵは、前記人体状態情報検知装置により検知されたシグナルに従って前記ＥＭ波形成器を制御し、前記ＥＭ波形成器に検知された状態もしくは対象に対応するＥＭ波を送るように構成され、
ＥＭ場（ＥＭＦ）は、パルスＥＭＦ（ＰＥＭＦ）であり、
前記ＥＭ波の波形は、以下の式で表されることを特徴とする細胞もしくは組織励起端末。
【数１】
0005883010.tif 000005
この式において、
ａ）３００μ秒  ＜ τ ＜０．０２秒で、
ｂ）５ミリ秒  ＜ ｔ１ ＜０．１ミリ秒で、
‐τは、波形形成器の形成の時定数であり、
‐ｔは、所定時間のポイントを示し、
‐（ｔ１−ｔ）は、パルスの持続時間もしくはその時間であり、
‐Ｉｍａｘは、前記回路内の最大直流電流（ＤＣ）である。
【請求項２】
前記請求項１に記載の励起端末であって、前記励起端末は、前記励起端末内の利用可能な電源が作業を続けるのに十分でない時に、電源を補充するようにシグナルを発生および送信して注意を喚起する電源モニタリング装置をさらに有する励起端末。
【請求項３】
前記請求項１に記載の励起端末であって、前記ＥＭ波形成器は、波形多重変換器を有し、前記多重変換器は、必要な複数の前記ＥＭ波を処理および出力するためのコンピューター、サーバー、情報機器、スマートフォン、もしくは他の外部ソースに保存された利用可能な複数のＥＭシグナルもしくはＥＭ波形シグナル特性もしくはシグナル特徴から対応するＥＭ波を選択するのに利用可能で、前記複数のＥＭ波は同じでもあっても異なっていてもよい励起端末。
【請求項４】
前記請求項１に記載の励起端末であって、前記人体状態検知器は、心拍検知器を有する励起端末。
【請求項５】
前記請求項１に記載の励起端末であって、前記人体状態検知器は、血圧検知器を有する励起端末。
【請求項６】
前記請求項１に記載の励起端末であって、前記人体状態検知器は、動作センサーを有する励起端末。
【請求項７】
前記請求項１に記載の励起端末であって、前記ＥＭ波形成器は、駆動回路を有し、前記駆動回路は、波形形状形成器から波形シグナルを受信し、インダクタ回路を駆動して対応するＥＭ波を形成するようになっている励起端末。
【請求項８】
前記請求項１〜７のいずれかに記載の励起端末であって、前記励起端末は、前記ＣＰＵからデジタルシグナルを受信し、アナログシグナルを出力して波形形状形成器に送るデジタル‐アナログ（Ｄ／Ａ）変換器を有する励起端末。
【発明の詳細な説明】
【技術分野】
【０００１】
本出願は、２０１１年９月６日に出願された発明の名称「ＨＡＮＤＨＥＬＤ  ＣＥＬＬ  ＥＸＣＩＴＡＴＩＯＮ  ＴＥＲＭＩＮＡＬ  ＣＡＰＡＢＬＥ  ＯＦ  ＤＹＮＡＭＩＣ  ＯＰＴＩＭＩＺＡＴＩＯＮ  ＯＦ  ＴＨＥＲＡＰＥＵＴＩＣ  ＥＦＦＥＣＴ  ＡＮＤ  ＲＥＭＯＴＥ  ＴＨＥＲＡＰＥＵＴＩＣ  ＳＹＳＴＥＭ」の米国特許出願番号代１３／２２６，２４５の継続出願であり、その内容の全体が本願に参照として取り込まれている。本出願は、２０１０年１０月７日に出願された発明の名称「ＰＯＲＴＡＢＬＥ  ＤＥＶＩＣＥ  ＡＮＤ  ＭＥＴＨＯＤ  ＦＯＲ  ＮＯＮＩＮＶＡＳＩＶＥ  ＳＴＩＭＵＬＡＴＩＯＮ  ＯＦ  ＡＣＵＰＵＮＣＴＵＲＥ  ＰＯＩＮＴＳ  ＡＮＤ  ＭＥＲＩＤＩＡＮＳ  ＵＳＩＮＧ  ＣＵＳＴＯＭＩＺＥＤ  ＤＹＮＡＭＩＣ  ＴＩＭＥ−ＶＡＲＹＩＮＧ  ＥＬＥＣＴＲＯ−ＭＡＧＮＥＴＩＣ  ＷＡＶＥＳ」、発明者Ｅｄｍｏｎｄ  ＫｕおよびＪａｃｋ  Ｗａｎｇの米国仮出願第６１／３９１，０３７の優先権を主張し、その内容を本願に参照としてすべて組み込んでいる。
【０００２】
本願発明は、治療効果および外部のコンピューターもしくはサーバーを含む遠隔治療システムの動的最適化が可能な電磁波を出すようになっている電子的携帯式細胞励起端末に関するものであり、該細胞励起端末は、人体に直接治療を施すことができ、有線もしくは無線のコミュニケーションリンクまたはネットワークを介するシステムの他の装置と組み合わせて使用することも可能であり、これにより局所的および遠隔の情報およびデータを使って人体に対して効果的な治療を行う。
【背景技術】
【０００３】
伝統的な鍼を使った鍼灸治療テクニックは長い間使われてきた。鍼灸治療では、患者の体の経穴の近くもしくは経穴に鍼を入れることにより希望のおよび有用な治療結果を奏するようにする。
【０００４】
従来、治療装置もしくは機器は、患者を完全に電磁場に浴びさせるシステムで利用していた。患者を電磁場で包み込むことにより伝統的な鍼灸治療と同様な希望のおよび有用な治療結果を達成することを意図している。
【０００５】
これらの伝統的な装置、システムおよび機器から作られる電磁場は、非選択的であり、さらに非局所的であるためこれらの様なシステムの効果には疑問があった。  さらに、プラットフォームの一般的な性質として、患者の状態を示すようにカスタマイズもしくは最適化することはできないため、このようなプラットフォームの治療効果おとび結果は保証できず、そしてこのような治療に費やした時間にあまり意味がなかった。
【０００６】
別の種類のブロードバンドの電磁的健康装置は、可視赤色光および赤外線波長（すなわち、電磁スペクトルのより高い部分）を治療メカニズムとして利用する。このような装置は、利用者の免疫系および血流を向上できるといわれている。
【０００７】
他のシステムは、静磁場（すなわち、磁石により作られたもの）を利用し、そして異なる動作機構を介して周期性動的領域を作り出す。さらには、これらのシステムの著しい欠点は、性質として機械的であり、したがって最良の効果を出すことがわかっているパルス電磁場を出せないことにある。しかしながら、該装置は、異なる強さおよび周波数を出すように設計することができるが、前述のように電磁場の作成に対するその機械的性質のために、これらのプラットフォームを各患者に合わせてカスタマイズおよび最適化できないため最適な効果を得ることができない。
【発明の概要】
【０００８】
本願発明は、励起のために経時に大きく変動するカスタマイズされた照射電磁（ＥＭ）波を利用する電子的治療機器およびシステムに関し、これは生物学的細胞もしくは組織に対して、効能を有する電磁波（生体電磁波）を利用し、受け手もしくは患者の予期される健康状態に対応し、受け手もしくは患者の特定の部位に治療的放射線を施す。有利には、さらに選択的に、生態学的組織もしくは患者の状態に関連する診断的情報を治療の前、治療中、および／または治療後に提供する。ある特定の例としては、本願発明は、小型で持ち運び可能な携帯式電子的治療用機器を提供し、これは患者の手の平の中に保持され、治療を行い、ＥＭＷエミッタ、センサーおよび外部システム素子とコミュニケーションをとるための無線コミュニケーションインターフェースを提供する。
【０００９】
本願発明は、特定の電磁（ＥＭ）波および電子的特性を有する電磁場を発生および照射するための携帯式および/または手持ち式細胞もしくは生物学的組織励起端末電子装置に関する。生物学的組織、細胞、動物、もしくはヒトの診断および/または治療効果のためにＥＭ波を使用するための該機器の使用、特にデータ保存およびオプショナルなデータもしくは情報処理を携帯式電子機器と遠隔システムサーバーとの間でコミュニケーションネットワークを介して行うことを提供する遠隔システムサーバーと組み合わせて行う使用に関する。細胞もしくは組織励起端末は、ヒトの人体に直接治療することができ、さらに有線および/または無線ネットワークのシステム系の他の機器と組み合わせて使用することもでき、それにより遠隔に保存されたデータおよび制御情報を利用しながら人体に効果的な治療を施すことができる。
【００１０】
本願発明の他の観点としては、本願発明は、決められた限定的な人体の部位に、特には、使用者の手のひらや足の裏の中心に、継続的に電磁パルスを照射および電磁パルスをストリーミングするための携帯式機器を提供する。電磁パルスの形および波形の形状の特徴は、治療および/または治療のための処置の多数のセッションにおける治療と治療間において、ソフトウェアを介して動的に設定および選択できる。
【００１１】
本願発明の他の観点としては、本願発明は、血流もしくは心拍振動に起因する体の部位の動作を検知する加速度計、または真皮を通して血流を検知する赤外線センサーと、検知したシグナルから心拍もしくは脈拍を抽出するためのデジタルシグナルプロセッサーと、心拍数もしくは脈拍数および次の心拍もしくは脈を決定するための処理ロジックとを含む心拍数検知システムを提供する。
【００１２】
他の観点としては、本願発明は、電磁パルスを照射し、電磁パルスのストリームを提供し、人体の決められた限定的な部位に、特に使用者の手のひらや足の裏の中心に、磁場を変更するための携帯式機器を提供し、ここでは、電磁パルスは、治療の際にソフトウェアにより動的に設定および選択できる波の形および波形特性を有しており、該機器により心拍数が検知され、心拍数および/または心拍のタイミングもしくは患者の検知された他の状態等を考慮して変更されたおよび/または調節された電磁波を提供する。電磁パルスのストリームを使用者の手のひらや足の裏の中心近くに提供することも有効であるが、中心そのものに提供する時ほど効果的ではない。
【００１３】
本願発明の他の観点は、電磁波シグナルもしくはパルスを照射し、異なる電磁パルスストリームを提供し、決められた限定的な体の部位を分けるために電磁、電子、および/または磁場を変更するための複数の携帯式機器を含むシステムを提供し、各電磁パルスは、ソフトウェアを介して治療の際に動的に設定および選択できる波形もしくは波形状特性を選択的に、しかし所望されるように有しており、各電磁パルスは特定の体の部位に向けて各機器から照射されて提供される。該機器、システム、方法の例示において、体の部位とは、経穴もしくは経穴付近の体の部位である。他の例示では、該装置および方法は、手の平に適用され、さらに他の例示では、足の裏に適用されており、それぞれ後述の例示の通り特定の治療効果がある。
【００１４】
携帯式機器は、組織や人体の限られた部分に対して、治療用量の電磁波を照射するが、人体全体には行わない。例えば、一例として、エミッタは、１/２インチから２インチの直径の範囲に電磁場を照射し、さらに典型的には約１インチの直径、例えば非限定的例示として、実質的０．７インチ〜１．３インチの直径の範囲に照射する。円形の照射パターンが効果的であるが（例えば、直径）、コイルも照射パターンも円形である必要はなく、コイルは、楕円形、環状もしくはその他の形状であってもよい。各携帯式機器は、無線コミュニケーションインターフェースを含んでおり、これによりネットワークサーバーに断続的に接続可能なネットワークと二方向のコミュニケーション接続を提供し、このネットワークサーバーは、患者特異的な波形や治療データさらに患者特異的な携帯式機器の設定の保存と処理を提供する。
【００１５】
他の観点では、本願発明は、上述の携帯式機器を提供し、該機器は、内蔵型の充電可能なバッテリーにより駆動され、さらに４インチ×４インチ×２インチ以下の物理的寸法を有する。
【００１６】
他の観点では、本願発明は、上述の携帯式機器を提供し、該機器は、１０ｕＴから５００ｕＴの間の強さの電磁場を照射する。
【００１７】
他の観点では、本願発明は、上述の携帯式機器を提供し、該無線スインターフェースは、ブルートゥース無線インタフェース、ＷｉＦｉ無線インターフェース、および携帯電話式無線インターフェースの少なくとも一つを有する。
【００１８】
他の観点では、本願発明は、電磁波を組織に与える方法を提供し、該方法は、第一期において、第一電磁場特性を有するパルス電磁場を与え、第二期において、第一電磁場特性とは異なる第二電磁場特性を有する異なるパルス電磁場を与え、第二期の時間は心拍もしくは心拍数の時間に対応しており、そして、心拍センサーからのフィードバックに対応して第一電磁場特性と第二電磁場特性を動的に変更する。
【００１９】
他の観点では、本願発明は、電磁波を人体の経路もしくは経穴に照射することによって体の状態を診断し、患者の状態を判断し、そして治療方針を決定、特定、適用もしくは変更するために照射に対する反応を検知する方法提供する。
【００２０】
本願発明は、励起のための時間に伴って動的に変化するカスタマイズされたＥＭ波を使った治療システムに関し、このシステムは、受け手の特定部位に照射を行い受けての予期される身体状態に対応する生体電磁波を使う。また、このシステムは、有利しかしながら選択的に、治療の前、治療中および/または治療後において、生体組織もしくは患者の状態に関する診断的情報を提供する。
【００２１】
該目的を達成するために、本願発明の一例は、携帯式もしくは手持ち式の細胞励起端末もしくは治療効果の動的最適化をできるようにする、もしくはできる機器を提供する。
【００２２】
非限定的例示として、該携帯式もしくは手持ち式細胞励起端末もしくは機器は、プロセッサー、処理ロジック回路、もしくは中央処理装置（ＣＰＵ）と、プロセッサーもしくはＣＰＵに接続された人体の状態の情報を検知するために使われる人体状態情報検知機器もしくはセンサーと、一以上の電磁（ＥＭ）波形成装置と、機器に動力を供給する電源装置と、を含み、ＥＭ波形成装置をプロセッサーもしくはＣＰＵに接続し、プロセッサーもしくはＣＰＵは、人体状態検知器により検知されたシグナルに従い、検知された状態もしくは対象に対応して生体電磁波を照射もしくは送るように適用もしくは構成された生体電磁波形成器を制御する。
【００２３】
非限定的例示の一つとして、電源装置は、従来型のアルカリ電池、ニッケルカドミウム電池、ニッケル水素電池、もしくはリチウムイオン電池などの電気化学的もしくは標準的なバッテリーであり、もしくはそれを含んでいる。有利には、該バッテリーは、充電可能であり、該機器は、充電回路もしくは外部充電器を介する充電回路に接続可能なもののいずれかを含んでいる。電源供給は、選択的にもしくは代案として、高容量スーパーキャパシタを使って機器に電源を供給してもよい。
【００２４】
本願発明は、有利には、さらに、遠隔医療システムを提供もしくは相互運用する。この遠隔医療システムの非限定的一例は、制御統合回路、プロセッサー、処理ロジック回路、もしくは中央処理装置（ＣＰＵ）と、
生体組織もしくは人体の状態の情報を検知もしくは検出する生体組織もしくは人体状態検知器を含む細胞もしくは生体組織励起端末もしくは機器と、遠隔医療システムもしくは励起端末と遠隔医療システムの間におかれるシステムなどの外部と細胞励起端末とのコミュニケーションのためのコミュニケーション装置もしくは回路と、
各ＥＭ波発生装置が駆動電子機器を介してプロセッサーもしくはＣＰＵに接続され、該プロセッサーもしくはＣＰＵは人体状態検知器により検知されたシグナルに従い、検知された状態もしくは対象に対応して生体電磁波を照射もしくは送るように適用もしくは構成されている生体電磁波発生装置を制御する一以上の生体電磁波形成器と、
電圧および/または電流などの電源を機器に供給するために使われる電源装置と、
コンピューターもしくはサーバーとを含み、該コンピューターもしくはサーバーは、有線もしくは無線のネットワークを介して細胞もしくは組織励起端末もしくは機器と接続されており、細胞もしくは組織励起端末から送られてきた人体状態検知情報を受信および処理し、指示もしくは別の情報の送信し、それにより、検知された状態もしくは被験者に対応したした生体電磁波を送るようにプロセッサーもしくはＣＰＵが生体電磁波発生装置を制御もしくは操作に関与する。
【００２５】
有利には、細胞もしくは組織励起端末もしくは機器とコンピューターもしくはサーバーの間の無線ネットワークもしくはコミュニケーションリンクは、有線のＥＭ波の適用による患者の体への妨げをなくすために使われる。細胞もしくは組織励起端末もしくは機器は、無線の形式で中間無線コミュニケーショントランズミッター/レシーバー（トランシーバー）とコミュニケーションをとってもよく、そして中間無線コミュニケーション装置は外部サーバーに接続する。
外部サーバーに接続する公知の種々の無線コミュニケーション手段とプロトコルを使用してもよく、例えば、種々の携帯電話信号およびプロトコル、ＷｉＦｉ、ＷｉＭａｘ、ブルートゥース、他の適切な無線信号手段およびプロトコルなどがあるがこれらに限定されるわけではなく、また当該技術分野において将来的に開発されていることが分かっているものも含む。
【００２６】
さらに、遠隔医療サーバーは、選択的にさらに有利には、データベースを含み、もしくは組み合わせているか、もしくは接続されており、このデータベースは、検知された人体の状態の情報、他の関連する治療的情報、種々の治療的波形もしくは波の条件を保存するために使われ、これらは、の実質的な治療波形、およびマッピング関連性リスト、表、もしくは患者の病態または状態および波形、マッピング関連性リスト、表、もしくはデータ構成リストデータ構成を作るために使われ、もしくは治療的生体電磁波もしくは電磁波コンビネーションと、異なる人体の状態に対応する治療手段を提供する。
【００２７】
さらには、サーバーは、選択的にさらに有利には、最適化モジュールを有し、これは、マッピング関連性リスト、患者の病態もしくは状態およびその時々の波形のデータ構成をアップデートするように作られ、さらに構成されており、それにより関連性リストと最適もしくは推奨される治療的生体電磁波をアップデートする。
【００２８】
本願システム、機器、および方法の非限定的例示によれば、ＥＭＦはパルスＥＭＦ（ＰＥＭＦ）であってもよい。
【００２９】
細胞もしくは組織励起端末５は、選択的にさらに有利には、電源モニタリング装置を含み、これは、端末が作業を続けるには充電が少なすぎる場合に、電源補給もしくは再充電を注意するシグナルを送信する。例えば、充電が残りわずかな場合には、音声、発信音を発したり、ディスプレイに明かりまたはアイコが点灯する。また、シグナルは、外部の装置もしくはシステムとコミュニケーションをとり、システム、または該システムにかかわっている利用者もしくは治療者に充電が残り少ないことを知らせる。
【００３０】
有利には、該システムおよび/または装置は、該機器５もしくはシステム全体と共に動く予測ロジックおよび/またはソフトウェアもしくはアルゴリズムを含み、これにより特定の患者の治療に必要な総充電量を予測して、治療前に明らかになるようにし、予測される治療を完了するのに十分な充電があるようにしており、さらに有利には、治療処置が動的にさらに最適に変更されることも考慮している。
【００３１】
非限定的一例示において、該携帯式機器には、差し込みもしくは他の組み合わせ端末を介して追加の電源供給源がついていてもよく、これにより治療が十分な動作電源を有することを保証する。治療が長引く場合、外部の電源供給源が、携帯式機器５を動かすのに使われてもよく、それにより内部バッテリーは基本的にはロジック回路、センサーおよび/またはコミュニケーションもしくはこれらの一部分に使われてもよく、そして電磁、電子および/磁場もしくは波を発生および照射するための電源は、外部電源から供給されてもよい。しかしながら、設置後一つのもしくは各携帯式機器に接続される薄いワイヤー線のみであるため（例えば、２線式低電圧コード）、これは該機器５の患者の体への接着に対して、いくらか妨げになることがあるが、著しい妨げではない。
【００３２】
さらに、生体電磁波発生装置は、選択的にさらに有利には、波形多重変換器を含んでもよく、端末に局所的に保存された、または一もしくは複数の必要もしくは所望の生体電磁波を処理またはアウトプットするためのサーバーに保存または作成された、対応する生体電磁波を選択するように形成および構成されており、これらの複数の波は、同一または異なる特性を有していてもよく、少なくともいくつかの例では、いくつかもしくは複数の波が異なる特性を持っている。
【００３３】
非限定的一例示によれば、該人体状態検知装置は、選択的にさらに有利には、コミュニケーションをとるために血圧センサーを有しているか、または組み合わされている。
【００３４】
非限定的一例示によれば、該人体状態検知装置は、選択的にさらに有利には、心臓鼓動検知器とコミュニケーションをとるために有するか、または組み合わされている。
【００３５】
非限定的一例示によれば、該人体状態検知装置は、選択的にさらに有利には、コミュニケーションをとるためにモーションセンサーを有しているか、もしくは組み合わされている。
【００３６】
非限定的一実施例によれば、該人体状態検知装置は、選択的にさらに有利には、コミュニケーションをとるために血中酸素濃度センサーを有しているか、もしくは組み合わされている。
【００３７】
さらには、該生体電磁波発生装置は、選択的にさらに有利には、波形形成器からの波形シグナルを受信し、ＥＭ回路を動かして、生体組織に利用する対応した電磁波（生体電磁波という）を形成させるための駆動回路を含む。
【００３８】
細胞もしくは組織励起端末もしくは機器は、選択的にさらに有利には、デジタルシグナルをプロセッサーもしくはＣＰＵから受信し、そしてアナログシグナルを波形形成器に送るデジタル−アナログ（Ｄ／Ａ）変換器を含んでいてもよい。
【００３９】
少なくとも一つの非限定的例示では、携帯式機器が適用されている、もしくは接触している患者の組織または皮膚で心拍および／または脈を検知するため、心拍および／または脈検知センサーは、携帯式機器内に含まれている。センサーが組織の色を検知したり患者の体の一部(例えば患者の指の先など)を透過できるセンサーを必要とする血中酸素濃度などの携帯式機器のある場所で、決定できない状態については、そのようなセンサーからの情報を直接的もしくは間接的に該センサーから受け取る。
【００４０】
一観点においては、本願発明は、励起のために時間と共に動的に変化するカスタマイズされた生体電磁波を使った携帯式治療システムを提供し、さらに、リアルタイムもしくはリアルタイムに近い状態で、例えば心拍もしくは脈拍数の状態などの患者の健康状態の情報を検知することで、異なるもしくは調節された電磁（ＥＭ）パルスもしくはＥＭパルスの組み合わせを使って波形の最適化をリアルタイムで行い、それにより所望の効果を達成し、さらには治療効果をより向上する。さらに、本願発明の実施例に係る治療システム、機器および方法は、遠隔操作が可能である。該機器の遠隔操作は、有利には、恒常的に、もしくはなんらかの計画にしたがって、もしくはセンサーのフィードバックにしたがって、もしくは患者の治療効果に係る情報にしたがって、患者のために治療の波形を最適化およびアップデートする遠隔センサーを含んでいてもよく、このようにすることによって異なる患者、もしくは異なる時間における患者の異なる健康状態に対応するようになっており、それにより動的にしかも恒常的に適応できるように治療効果を向上させており、たとえ恒常的でなかったとしても治療計画もしくは他の基準に従って向上させている。
【００４１】
他の観点に関しては、本願明細書および図面を通して明らかになっている。
【図面の簡単な説明】
【００４２】
【図１】図１は、励起のために時間と共に動的に変化するカスタマイズされたＥＭ波を使った遠隔診断および治療システムの模式図である。
【図２】図２は、本願発明に係る励起のために時間と共に動的に変化するカスタマイズされたＥＭ波を使った遠隔治療システムの細胞励起端末の一実施形態の模式図である。
【図３】図３は、パルス幅変調（ＰＷＭ）波形と時間と共に変化するデューティファクタ（黒）とを示す。
【図４】図４は、中央制御ユニットのオペレーションをフローチャートにしたものである。
【図５】図５は、波形と患者の病気のマッピング関連性リストの最適化工程の実施形態である。
【図６】図６は、本願発明に係る波形と患者の病気のマッピング関連性リストの一実施形態である。
【図７】図７は、好ましい治療効果を有するＥＭ波の波形を示す。
【図８】図８は、種々の病気関する図７における波形の治療効果の測定表である。
【図９Ａ】図９Ａは、本願発明に係る治療計画を行う前と行った後の血液に対する効果の比較図である。
【図９Ｂ】図９Ｂは、本願発明に係る治療計画を行う前と行った後の血液に対する効果の比較図である。
【図１０Ａ−１】図１０Ａおよび図１０Ｂでは、特定の時間において、特定部位の治療に適用した治療計画の後に測定された効果を比較する図であり、図１０Ａ−１は、治療前の図である。
【図１０Ａ−２】図１０Ａおよび図１０Ｂでは、特定の時間特定部位の治療に適用した治療計画の後の測定された効果を比較する図であり、図１０Ａ−２は、治療の後の図である。
【図１０Ｂ−１】図１０Ａおよび図１０Ｂでは、特定の時間特定部位の治療に適用した治療計画の後の測定された効果を比較する図であり、図１０Ｂ−１は、治療前の図である。
【図１０Ｂ−２】図１０Ａおよび図１０Ｂでは、特定の時間特定部位の治療に適用した治療計画の後の測定された効果を比較する図であり、図１０Ｂ−２は、治療の後の図である。
【図１１】図１１は、細胞もしくは組織励起機器の機能構成のさらなる例示を示す図である。
【図１２Ａ】図１２Ａは、細胞もしくは組織励起機器の機能構成の詳細を示す図である。
【図１２Ｂ】図１２Ｂは、細胞もしくは組織励起機器の機能構成の詳細を示す図である。
【図１２Ｃ】図１２Ｃは、細胞もしくは組織励起機器の機能構成の詳細を示す図である。
【図１２Ｄ】図１２Ｄは、細胞もしくは組織励起機器の機能構成の詳細を示す図である。
【図１２Ｅ】図１２Ｅは、細胞もしくは組織励起機器の機能構成の詳細を示す図である。
【図１２Ｆ】図１２Ｆは、細胞もしくは組織励起機器の機能構成の詳細を示す図である。
【図１２Ｇ】図１２Ｇは、細胞もしくは組織励起機器の機能構成の詳細を示す図である。
【図１２Ｈ】図１２Ｈは、細胞もしくは組織励起機器の機能構成の詳細を示す図である。
【図１３Ａ】図１３Ａは、細胞もしくは組織励起ユニットの形および形状の例示を示す図である。
【図１３Ｂ】図１３Ｂは、細胞もしくは組織励起ユニットの形および形状の例示を示す図である。
【図１３Ｃ】図１３Ｃは、細胞もしくは組織励起ユニットの形および形状の例示を示す図である。
【図１３Ｄ】図１３Ｄは、細胞もしくは組織励起ユニットの形および形状の例示を示す図である。
【発明を実施するための携帯】
【００４３】
本願発明の実施形態は、添付の図面を参照しながら以下に詳細を記載する。
【００４４】
図１を参照すると、本願発明は、励起のために時間と共に動的に変化するカスタマイズされた生体電磁波を使用した治療システムを提供しており、該システムは、携帯式細胞もしくは組織励起端末もしくは機器５を含み、有利には、独立した外部コンピューター、コンピューターシステムもしくはコンピューターサーバー１も含む。該端末もしくは機器５は、ここでは、携帯式機器５または細胞もしくは組織励起端末と呼ぶことがある。有利には、該システムは、遠隔もしくは外部コンピューターもしくはサーバーとコミュニケーションをとるように構成されており、該外部コンピューターもしくはサーバーは、オペレーション情報、シグナル、波形の特徴、患者の治療データおよび治療歴、統計および他の情報などを前記システムに提供し、さらに、各患者、複数の異なる患者、病気および異なる治療に対する反応状態、さらには他の情報および／または処理を解析する解析処理能力を提供する。外部コンピューターもしくはコンピューターサーバー５は、有利には、波形の形成および解析のためのコンピュータープログラムの追加の処理や実行、さらに患者のデータや情報の解析、最適化、他の解析的機能および端末機器５に含まれていれば必要以上に高価になる保管機能を提供するためのシステムなどの例で使用されている。さらに、有利には、ＥＭ波エミッタをコンピューター回路要素、実行プロセッサー、データ保管などと物理的に別にしており、それによりＥＭ照射インターフェースを少なくしている。
【００４５】
非限定的例示の一つにおいて、携帯式細胞もしくは組織励起端末もしくは機器５は、自主的に作動し、ここに記載する診断および治療を提供するのに十分なメモリー保管および処理ロジックを有している。
さらに、携帯式細胞もしくは組織励起端末もしくは機器５は、断続的に、外部データベースおよび／またはコンピューターもしくはサーバーと、接続しもしくは組み合わされて上述の診断および治療を提供する。携帯式細胞もしくは組織励起端末もしくは機器５は、想定する製造および販売価格において選択され、有利には機器５の価格は低く、サーバーと一緒になっているシステム構成が使われる。また、サーバーを構成する際、クラウド仕様のサーバーを採用して、追加の処理および／またはデータ保管および回収へのアクセスを提供する。
【００４６】
携帯式励起端末もしくは機器の他の非限定的例示として、該機器は、無線コミュニケーションのためのアンテナ付ワ無線フロントエンド、マイクロコントローラーもしくは処理ロジック、加速度計もしくは他の心拍もしくは脈センサーおよび選択的に他のセンサー、コーダー‐デコーダー（ＣＯＤＥＣ）回路もしくはデジタルデータストリームもしくはシグナルをエンコードおよび／またはデコードするコンピュータープログラム、波形形成ユニットもしくはエンジン、コントロールインテグレーテッド回路（ＩＣ）もしくはプロセッサーもしくはマイクロプロセッサーと組み合わされた電動駆動ユニット、ＣＰＵ５０、および電動駆動からＥＭ場を照射する電流シグナルに反応するインダクタ要素を含む磁力（電磁）ユニットなどを有するケースもしくはハウジングを提供する。
【００４７】
非限定的例示において、サーバーもしくはサーバー機能が提供されている場合、サーバー１は、例えば有線および／または無線のプライベートもしくは公衆無線ネットワーク３などのコミュニケーションリンクを介して細胞励起端末５と接続もしくは組み合わされている。他のシステムもしくはネットワークと細胞励起端末５の間で動きの妨げになるおそれがない（ワイヤーやケーブルがない）ため無線による細胞励起端末５との接続が好ましい。しかしながら、有線による接続も細胞励起端末５とのコミュニケーションに使用されてもよい。公衆無線ネットワーク３などの該ネットワークは、一般的な無線コミュニケーションネットワークもしくはインターネットである。ＷｉＦｉ、ＷｉＭａｘ、ブルートゥース、もしくは他の無線周波数もしくは光学無線コミュニケーションリンクもしくは他の手段などの他の無線テクノロジーを使用してもよい。さらには、種々の異なる有線および／または無線のコミュニケーションリンクを組み合わせて、細胞励起端末５とサーバー１などの他の外部要素の間のコミュニケーションに使用してもよい。
【００４８】
サーバー１は、プライベートもしくは所有されたサーバープラットフォームもしくは公衆サーバープラットフォームでもよく、さらに同時に複数の患者もしくは使用者にサービスを提供できる。サーバー１は、は、データベース１１（もしくは組み合わせられているかもしくは別のデータベース）と最適化モジュール１２とを有する。携帯ユニットもしくは細胞励起端末５は、小型ミクロ治療機材もしくは機器５であり、人体の一部分に設けることができ、該一部分に治療を行うことができ（ＥＭ照射）、さらに遠隔治療システムの一部として使うことができる。非限定的例示において、小型ミクロ治療機材もしくは機器５は、人の手にフィットして順応する大きさと形状であり、それにより、機器５の表面からでるＥＭ波照射を手の平の生体組織に直接に照射できるようにする。このような例では、機器５は、４インチ×２インチよりも小さいサイズであり、他の例では、機器５はそれよりも小さく、例えばそれぞれの辺においておおよそ１〜３インチである。照射領域は、有利にはおおよそ１／２インチと２インチの間であるが、それより大きくても小さくてもよい。治療は、細胞励起端末５の場所を患者の体の部位もしくは領域上において手動で動かすもしくは操作することを含んでもよい。サーバー１は、コミュニケーション機能モジュール１３を介して公衆ワイヤレスネットワーク３と繋がっている。
【００４９】
本願発明の細胞もしくは組織励起機器は特定の治療用途に適するように作られていてもよい。
【００５０】
非限定的例示において、携帯式端末機器もしくはユニットは、複数の特定の機能を有しており、それらは（ａ）エンコードされた（エンコードは任意）波形データをデコードするため（任意でエンコードされた場合のみ）の手段と、さらにデータをアナログ電磁場（強度、波形形状、波形間隔などを含む）に変換するための手段と、波形データを受信するための手段とを有している。さらに、（ｂ）患者の体に電磁場を照射および集中させる手段と、さらに（ｃ）患者の心拍を検知測定しそれを使って磁場を精密に調整するためのフィードバックとして使用し、いくつかの治療計画では心拍を変えるもしくは調整するもしくはそれらを試みるのに使用する手段とを有している。エンコーディングは、プライバシーやセキュリティー、もしくは特定のシグナル波形の所有を保持するために使われてもよく、またはデータの圧縮、もしくはそれらを組み合わせた他の理由で使われてもよい。
【００５１】
細胞もしくは組織励起端末もしくは機器とも呼ばれる携帯式ユニットは、プロセッサー、処理ロジック、もしくは中央管理ユニット（ＣＰＵ）５０等のコントロールインテグレーテッド回路（ＩＣ）を含む。コントロールインテグレーテッド回路、プロセッサー、処理ロジック、もしくはＣＰＵは、有利には、プログラムにより制御された携帯式ユニットのオペレーションを制御および調節するハードウェアおよび／ソフトウェアと相互運用されていてもよい。このコントロールインテグレーテッド回路は、以下を提供する。
【００５２】
（ａ）無線周波数（ＲＦ）コミュニケーションインターフェース。
【００５３】
（ｂ）データ処理要素を提供するが、ここでは、保護されるべき所有権のあるおよび／または患者の健康状態のデータなどである例えばカスタマイズされた波形などの暗号化された情報がコミュニケーションに使われており、該処理要素は、暗号化および非暗号化処理特性もしくは要素を含んでいる。
【００５４】
（ｃ）インダクタエミッタ要素を駆動するためにデジタル波形の情報をアナログシグナルに変換するデジタル‐アナログ（Ｄ／Ａ）変換モジュールもしくはユニット。
【００５５】
（ｄ）電源発生回路。
【００５６】
（ｅ）加速度計、赤外線検知器、もしくは他の心拍もしくは脈拍検知器もしくは他の検知手段などの患者の健康状態を検知するためのセンサーもしくは検知器などを含む。
【００５７】
マイクロプロセッサー、プロセッサー、処理ロジック、ＣＰＵもしくは他の処理手段などのコントロールインテグレーテッド回路（コントロールＩＣ）は、前記機器の知能であり、処理、システムのタイミング、ＲＦ、コミュニケーション、および心拍検知器、脈検知器、皮膚保湿検知器、血中酸素濃度検知器、体温検知器もしくは他の検知器などの検知器を全体的に管理する。追加の知能は、他のコンピューターもしくはサーバーなどの外部プロセッサーと接続もしくは断続的に接続することにより提供されてもよい。
【００５８】
波形形成部分は、コントロールＩＣプロセッサーからの出力シグナルを滑らかにし、いくつかの例示においては、電源駆動段階に一致するように電圧のレベルをシフトさせることもある。
【００５９】
磁力ユニットもしくはインダクタ要素と電源駆動段階とを組み合わせて、必要な電磁場を発生させる。電磁場強度は、磁力要素もしくはインダクタ要素を流れる電流のレベルに関連しているため、携帯式励起端末の電磁場の強度は、適切な電流シグナルを与えることにより少なくともコントロールされており、これについては本明細書の中においてより詳細に記載されている。一例として、インダクタ要素は、携帯式励起端末５内に複数の回路もしくは機器を有する、もしくは積載するプリント基板（ＰＣＢ）の平面に対して垂直に電磁場を照射するように設計されており、それによってＥＭ波場は、携帯式手持ちユニットの平面から体の部位へと照射される。
【００６０】
非限定的一例示において、該ユニットから照射される電磁場強度は、おおよそ１０μテスラ（１０μＴ）から３２５μテスラ（３２５μＴ）の間であるが、これらの電磁場強度の例示に本願発明は限定されるわけではなく、それより高いもしくは低い強度も適用できる。患者の体の特徴、確認できる病状、疾病、もしくは状態さらには検知器のフィードバックなども、適切で効果的な治療効果のために電磁場強度の上げ下げを左右する指針になりえる。
【００６１】
図２を参照すると、本願発明の実施例に係る携帯式機器または細胞もしくは組織励起端末は、プロセッサー、マイクロプロセッサー、処理ロジック回路、もしくは中央管理ユニット（ＣＰＵ）５０、ＣＰＵと接続している人体状態検知機器もしくはセンサーを含み、人体もしくは生体組織の状態をモニタリングするのに使われ、外部とコミュニケーションをとる装置にも使われ、一以上の生体電磁波形成装置、および機器に電源を供給する電源装置などにも使われる。本願におけるＣＰＵは、プロセッサー、マイクロプロセッサー、処理ロジック、中央処理ユニット（ＣＰＵ）もしくはこれらの組み合わせをいう。処理ロジックは、ハードウェアのオペレーションを制御および／または変えるハードウェアおよびファームウェアおよび／またはソフトウェア（実行可能なコンピュータープログラム指示およびデータ）である。生体電磁波形成装置５８１、５８２のそれぞれは、ＣＰＵ５０に接続しており、該ＣＰＵ５０は、該人体状態検知器（心拍センサーもしくは検知器５８など）から検知したシグナルに従い、検知された状態もしくは患者に対応した生体電磁波を発生させるように制御する。しかしながら、二つの波形成装置５８１と５８２は、この実施形態において図示および記載されているが、他の実施形態では波形成装置が一つだけであり、さらにこのように複雑な波形の選択や多重変換回路やロジックを必要としない場合もある。一実施形態では、多くの異なる波形特徴を発生する能力のある波形発生装置を一つだけ提供している。
【００６２】
この実施形態では、図２において、外部とコミュニケーションをとる装置が図示されておらず、これは、一般的なコミュニケーション装置であり、例えばアンテナおよび無線ネットワークに接続している携帯電話に関連するコミュニケーションモジュール、またはインターネットに接続している有線もしくは無線ネットワーク接続装置などである。ブルートゥース、ＷｉＦｉ、ＷｉＭａｘ、または他の有線もしくは無線コミュニケーション手段を代わりにもしくは追加で使用してもよい。
【００６３】
電源装置は、例えば一般的なリチウムイオン電池、などのバッテリーを備え、さらに、バッテリー充電器５１、バッテリー５２、および電源供給モジュール５２１、５２２および５２３を含む。外部ＡＣ充電器は、バッテリー５２に継続的に十分な電源を保証するためにバッテリー５２を充電する内部バッテリー充電器５２に電源を供給する。代わりに、置換可能なバッテリーが使われてもよい。バッテリー５２は、細胞励起端末の構成部品に電源供給モジュール５２１、５２２および５２３それぞれから電源を供給する。ここに記載する詳細な説明でわかるように、機器５の回路の電源需要を満たす作動電源を提供する電圧および電流を適切に提供できるのであれば、電源供給は一つだけでもよい。バッテリー充電器５１は、電源接続ポート５３１を介して外部電源に接続しており、それにより充電する。
【００６４】
二つの波形発生装置を提供する携帯式励起端末の実施形態では、ＥＭ波形成器は、波形多重変換器５６、駆動装置５６１および５６２、駆動装置５６１および５６２に接続している波形形成器５８１および５８２から形成されている。波形多重変換器５６は、市場によくある装置であり、必要とされるアナログシグナルにデジタルシグナルから処理および変換するＤ／Ａ変換モジュール５５からの出力される波形を表すデジタルシグナルを受け取る。この実施形態では、二つのＥＭ波形形成器が含まれる。波形多重変換器５６は、駆動装置５６１よ５６２に入力される二つの波形アナログ電圧シグナルを出す。駆動装置５６１と５６２は、それぞれ波形形成器５８１と５８２を駆動し、対応する生体電磁波を形成する。電磁波形成器５８１と５８２は、ある程度の電圧のＥＭ波を形成するコイルインダクタを使用してもよい。この実施例では、二つのＥＭ波が発生し、この二種類のＥＭ波は、同じもしくは異なる波形を有していてもよい。さらに、必要に応じて、ＥＭ波を一つもしくは二つ以上で発生するように設計してもよく、さらに一以上の駆動装置を設計してもよい。波形形成器５８１と５８２は、比較的低周波なパルス磁場を使用できるように構成して、患者の体内での血液循環を刺激する。低周波は、通常１０Ｈｚから２００Ｈｚの範囲にあり、典型的には２０Ｈｚから１２０Ｈｚの範囲であり、さらに典型的には２０Ｈｚから４０Ｈｚであり、具体的例では、実質的におおよそ３０Ｈｚ（例えば、３０Ｈｚ±３Ｈｚ）である。
【００６５】
携帯式励起端末の一例では、波形形成器を一つだけ有し、波形多重変換器５６もしくは第二駆動装置５６２を必要としない。
【００６６】
マイクロプロセッサーもしくはシングルチップマイクロコンピューターなどのインテグレーテッド回路であってもよい中央制御ユニット５０は、細胞励起端末の中央制御部であり、該機器内の残りの構成部材のオペレーションを制御する。Ｄ／Ａ変換モジュールは、中央管理ユニット５０によりデジタルで現される波形の変換を行ってアナログ波形にし、そしてこれが駆動回路に使用され、波形形成器を励起し、それにより所望するＥＭ場を発生させる。
【００６７】
この実施形態においては、人体状態検知装置は、心拍センサー５８として使われている。心拍センサー５８は、人体の心拍数を計測でき、中央制御ユニット５０に心拍数を入力できる。中央制御ユニット５１は、心拍センサーから読み取れるパラメーターに従って、患者の現在の健康状態を判断し、必要とされる治療のＥＭ波もしくはＥＭ波の組み合わせ、さらに治療方法を決定する。これにより、Ｄ／Ａ変換装置、波形多重変換器５６および駆動装置５６１および５６２にそれぞれ制御シグナル（波形を現すデジタルシグナル）を送ることによって、波形発生装置５８１および５８２がそれぞれ決定されたＥＭ波もしくはＥＭ波の組み合わせを発生するようにして、決定した治療方法に従って患者に放射治療を行う。同様に、人体の健康状態を測定するための人体状態検知装置は、動作検知器および加速度計血圧検知器もしくはセンサー、人体血中粘度検知装置、脳波（ＥＥＧ）測定器、心電（ＥＣＧ）測定器、もしくは人体の健康状態をリアルタイムで検知できる従来型の他の機器もしくは装置であってもよい。人体の状態のデータを提供するのに一以上の機器もしくは装置を使用してもよい。
【００６８】
動作センサー５４は、心拍および／または脈を計測するために動作加速度計を使用もしくは適用してもよい。別の適用品としては、心拍および／または脈を検知するための赤外線（ＩＲ）系検知器を使用してもよい。これらを使用した場合、加速度計は、非常に感度の高い動作センサーである。患者もしくは使用者が該機器を手に持って静止したとき、該センサーは、体内の最も小さい振動（例えば心拍および血流の脈など）も検知し、振動シグナルに心拍数スペクトルが埋め込まれ、検知されたシグナルが中央制御ユニット５０に入力され、使用者の心拍数スペクトルもしくは脈が、デジタルシグナル処理（ＤＳＰ）を介してすべてのシグナルから検知、抽出される。
【００６９】
心拍数もしくはタイミング（選択的に心拍もしくは脈の強度や強さ）を検知するセンサーが加速度計として使用される場合、加速度計は、非常に敏感な動作センサーであり、患者が静止したまま該機器を手に持った場合、患者の体内からのわずかな振動（心拍もしくは血流脈など）でもほとんど検知することができ、そして患者の心拍パターンを振動シグナルに埋め込む。ここに記載されているＩＲセンサーなどの照射パルスを適用するための状態情報もしくはフィードバックを提供する他の、もしくは異なるセンサーを使用してもよい。
【００７０】
一実施形態においては、該携帯式機器は、ＥＭ波が当てられるポイントの体に加速度計が近くの脈もしくは血流を検知できるようにくっついていてもよく、そして、ここで検知されたシグナルを使う。テープやストラップをくっつけるのに使用してもよく、もしくはタオルやその他の覆う物などの振動や脈を加速度計が検知するのを促進するための接続を維持するのに十分なものを使用してもよい。携帯式励起端末もしくは機器、プロセッサーやＣＰＵ５０などのコントロールインテグレーテッド回路は、加速度計からのシグナルを解析する役割を有してもよく、そしてデジタルシグナル処理（ＤＳＰ）技術を介して、加速度計により検知もしくは生成されたシグナルより患者の心拍もしくは脈のパターンを検知および抽出する。例えば、加速度計は他の患者の動きを検知することもあるが、そのような動きから検知される振動は、異なる特徴もしくは周波数であり、さらにはシグナル処理技術を使ってフィルターにかけられる。
【００７１】
多くの方法が異なる生体電磁波形を形成するのに使用されてもよい。図３は、デューティーファクター（黒）とともに現されたパルス波変調波形（ＰＷＭ）が時間とともに変化していることを示しており、正弦的な波もしくは正弦波（滑らかな曲線）が低域フィルターの後に形成されていることを図示している。
【００７２】
図３は、時間とともに変化するデューティーサイクル（パルス）とともにパルス波変調（ＰＷＭ）波形を、低域フィルターもしくはデジタルアナログ変換処理（平滑線）の後に形成される正弦波に対して並べたものである。多くの異なる波形は、低域フィルター、もしくは平等帯域フィルタ、もしくは他のデジタル−アナログ変換による平滑されたＰＷＭシグナルから合成されることがわかり、さらに異なる波形をこのタイプのＰＷＭ波形から形成するデジタルシグナル処理（ＤＳＰ）および／またはアナログ処理技術の使用は、一般的に知られているが、治療のためのＥＭ場を発生および照射のために特定の治療用波形の形成に使用することは本願以前には知られていない。ＰＷＭ波形のデューティーサイクルが一定の場合、ＤＣレベルは低域フィルターの後で形成される。デューティーサイクルが一定でない場合、変化するＤＣレベルが作られる。デューティーサイクルは、ＤＣレベルもしくはバイアスがゼロになるように波形に従って調節される。
【００７３】
シンプルで効果的な低域通過フィルターは、レジスタ−キャパシタペアを使うことによりつくることができる。ＰＷＭおよび低域通過フィルターを組み合わせることにより、安価なデジタル−アナログ変換器を作ることができ、これによって正確でシンプルな波の形成および合成機能を提供する。異なる形、周波数および振幅の波形は、ＰＷＭシステムを低域通過フィルターもしくは高域通過フィルターと組み合わせることにより形成できる。さらに進化したＤ／Ａ変換器を端末に使用でき、それによってより正確な波形合成を行う。さらにＤ／Ａシステムは、入力された他のシグナルから波形をつくるのに使用されてもよく、フィルターされたＰＭＷの使用は、本願の特徴ではない。ＰＭＷおよび低域通過フィルターもしくはＤ／Ａ変換は、ドライバーへの入力がＤ／Ａ機能を可能にするためにどのように行われるかの一例に過ぎない。
【００７４】
中央制御ユニット５０は、人体状態情報を、コミュニケーションモジュールを介してサーバー１に送ることができる。中央制御ユニット５０は、使用者の人体状態情報、およびデータベース１１に保存されている他の身体的そして医学的パラメーターなどのダウンロードされた情報に基づいて生体電磁波形を特定の患者に適するようにカスタマイズすることができる。これらのパラメーターには、治療歴、今までにかかった病気、患者の体内の電気的機器、および皮膚病などの他の特定の要因、治療箇所の脂肪の量、心拍数、および／または他の身体的要因などを含む。この技術的特徴は、本願発明の核心である。
【００７５】
液晶ディスプレイ（ＬＣＤ）５５１は、ユーザーインターフェースとして使用でき、細胞励起端末全体の機能状態、もしくは端末の励起状態において機能しているパラメーターを映す。
【００７６】
オプション機能接続ポート５３２は、例えばユニバーサルシリアルバス（ＵＳＢ）ポートなどの外部接続のために使われ、それにより外部からのインプットデータもしくはダウンロードプログラムのためのインプット／アウトプット（Ｉ／Ｏ）インターフェースを提供する。これは、該機器に取り付け可能なワイヤレスコミュニケーションの代わりに、もしくはそれに加えて提供されてもよい。
【００７７】
電源接続ポート５３１は、例えば内部バッテリーなどの携帯式機器に電源を供給するために電源に接続するために使われる。
【００７８】
バッテリー電源検知器５３は、全体のシステムの電源使用状況も監視するために使われる。バッテリー電源が少なくなっていることを示す低バッテリー状態を監視および検知する能力を提供することに加えて、バッテリー電源検知器５３は、有利には安全性のために使われており、これにより治療を意図した効果的な治療波を該機器５が作れないときは、使用者もしくは治療者が機器５を使用できないようにしている。言い換えると、バッテリー電源検知器５３は、治療が始められないように、機器５が機能しないように構成されており、患者にとって害のある、もしくは意図した治療ではない制御されていないＥＭＦ照射が起こらないようにする。ここに記載するように、該機器５は、予知的特徴を含んでいて、それによりＣＰＵ５０による処理、バッテリ使用の示唆もしくは保存された履歴、および／または充電がどれほど残されているかを特定できるスマートバッテリー回路などが、意図する治療などとともに考慮されて、バッテリー残量が意図する治療に十分でないかどうかシグナルなどで示される。
【００７９】
図１および図２に関し、細胞励起端末５およびサーバー１は、プライベートもしくは公衆無線ネットワーク（公衆インターネットもしくは他のプライベートインターネット）を介してコミュニケーションをとり、それによって完全な治療エコシステムを形成する。サーバー１は、有利には、全てのもしくはいくつかの以下に記載の機能モジュールを組み合わせることを含む。
【００８０】
（１）データベース１１。データベース１１は、各患者に関係する情報、もしくはパラメーターを保存している。一般的波形保存、患者の疾病もしくは治療状態に関連する適用可能な波形の関係性マッピング、患者の身体的な履歴、および他の身体的もしくは状態パラメーターなどを含むことができる。
【００８１】
（２）波形もしくは治療モデル最適化モジュール１２。波形もしくは治療モデル最適化モジュール１２は、常に、すべての患者の治療結果および効果を復習および解析し、どの患者にも最良の治療計画を選択できるようにする。治療計画は、波形形状、強さ、治療時間、および治療回数などを含むことができる。この恒常的な最適化処理が、治療効果を最適化できることを保障し、治療が所望する有利な効果を達成できることを保障する。これは、本願発明の他の重要な特徴である。最適化モジュールおよび前述の処理にかかるアルゴリズムの適用は、関連するソフトウェアもしくはハードウェアを設計する当業者により行うことができる。
【００８２】
（３）コミュニケーション機能モジュール１３。コミュニケーション機能モジュール１３は、細胞励起端末５と、公衆無線ネットワーク３などのコミュニケーションリンクもしくはインターフェースを介してコミュニケーションを図っている。当該技術分野で知られている多くの異なるタイプのコミュニケーション機器、プロトコル、シグナル方式などをこのコミュニケーションに適用してもよい。携帯電話もコミュニケーションもしくは接続のためのモジュールまたはブリッジとして使える。携帯電話サーバー１から受信した情報を細胞励起端末５にワイヤレス式でブルートゥースや他の有線もしくは無線の接続であるローカルな無線周波数（ＲＦ）を介して転送することができる。
【００８３】
図４に関し、中央処理ユニットもしくは制御ユニット５０は、全治療システムの中央制御機器として機能し、全システム内の全構成部材のオペレーションを制御して患者への治療を行い、治療的に効果があって安全な量の電磁波の照射を保障している。ワークフローを以下に示す。
【００８４】
ステップ４０１において、例えば、人体の部位に照射する波形のローディングもしくは確認、励起端末機器を治療部位への配置、初期波形による治療の開始などを含む処理が開始される。
【００８５】
ステップ４０２において、センサーが、ヒト、もしくは他の動物の身体的状態または治療を行う組織の状態などを検知する。非限定的一例示において、心拍センサー５８は、人体の状態（例えば脈拍など）を検知するようにされており、そして検知された人体状態情報をサーバー１のデータベース１１にコミュニケーションモジュールを介して送る。
【００８６】
非限定的一例示において、情報は、該機器のメモリーに保存されてもよく、例えば別の固体記憶装置、もしくはＣＰＵと関連したメモリーなどに保存されてもよく、それにより、場合によっては、サーバー１および／またはデータベース１１とのコミュニケーションは必要なく、ＣＰＵのみで治療方針を決めてもよい。さらに、サーバー１で実行および／またはデータベース１１と一緒に実行する他の処理は、機器５で完全に実行されてもよく、もしくは部分的に実行されてもよい。しかしながら、より大きい処理電源および保存は、より高価な携帯式機器を必要とする。いくつかの非限定的一例においては、外部サーバーおよびデータベースは、小型のコンピューターでもよく、例えばパーソナルコンピューターやＡｐｐｌｅのｉＰｈｏｎｅ、ｉＰａｄなどのハンドヘルドコンピューター、もしくは他のスマートフォンなどの十分な処理電源、データベース保存、アプリケーションソフトウェアなどを含むものなどであり、それにより携帯式機器５と相互運用する。
【００８７】
ステップ４０３では、保存もしくは計測された患者に関連する治療情報と、ローカルに保存されたもしくはサーバー１に保存された他の関連する治療情報とを比較し、それにより病気の状態もしくは治療の状態とにより有効な治療プランもしくは段階を決定する。
【００８８】
ステップ４０４では、治療波形もしくは波形の組み合わせ、および治療手段および／または方針は、データベース１１内のパラメーター比較、パターンマッチング、もしくはマッピング関係性リストなどの技術を使った他の解析技術もしくは患者の病気の状態もしくは治療状態および波形などのデータ構成などを検索して決定される。
【００８９】
ステップ４０５では、波形もしくは波形セットは、可能な波形の中から選択され、もしくはカスタマイズされた波形もしくは波形セットとして作られ、例えばＤ／Ａ変換器（および多重波形形成器を有する実施形態にある他のどの波形多重変換器５６）に特定の波形シグナルをアウトプットするように指示するなどして作られ、その指示はそれぞれドライバー５６および／またはドライバー５６２にインプットされるが、これは例示であってこれに限定されるわけではない。波形が一つだけ選択および／または形成される場合には、波形多重変換器５６は必要なく、ドライバー５６１が一つだけ提供される。
【００９０】
ステップ４０６では、選択された波形をドライバー５６１（もしあれば、および／またはドライバー５６２）にインプットし、波形形成器５８１（もしあれば、およびドライバー５８２）が対応するＥＭ波（もしくはＥＭ波の組み合わせ）を形成し、時間間隔やサイクルなどを決定する治療的な手段で患者に治療を施す。波形は一つだけ特定および／または提供されてもよく、もしくは二つ以上（複数）の波形が特定および／または提供されてもよく、図２に示される例は、一つだけの場合を現している。実施形態においては、波形形成器を一つだけ有し、多重変換器および選択は使われておらず、ここに記載する方法もしくは処理は同じだが、波形形成器とドライバーは一つだけであった。
【００９１】
ステップ４０７では、現在のおよび好ましくは過去の治療中から治療効果を計測し、データを最適化モジュール１２にインプットして、マッピング関連性リストを最適化しもしくは患者の病気もしくは治療状態および対応する波形のデータ構成を最適化する。最適化モジュールは、別の回路、プロセッサー、および／またはコンピュータープログラムソフトウェアインプリメンメーションで行われてもよく、もしくはそれに加えて携帯式励起端末機器５内にあるプロセッサー、マイクロプロセッサー、処理ロジック、もしくはＣＰＵ５０で行われてもよい。
【００９２】
ステップ４０８では、選択的にもしくは有利には、好ましい治療計画は、特定の時間における患者の治療効果による波形候補の処理、選択および／またはフィルタリングを行うことにより選択され、そして患者の病気もしくは治療状態などのマッピング関連性リストおよび／または他の要因および波形を最適化する。このステップは、最初の治療の後に行われてもよく、それにより次の治療を同じ治療セッション中もしくは次の治療セッションにおいて最適化する。
【００９３】
図５は、「適用できる波形に関連する患者の病気もしくは治療状態のマッピング関連性リスト」の最適化プロセス５００の例の実施形態を示す。図５のプロセスを以下に示す。
【００９４】
リストの作成(ステップ５０１)は、以下のように行われる。有利には、患者の病気もしくは他の状態を治療するのにもっともマッチする少なくとも一つの波形を関連もしくは選択するのに十分な情報を含んでいるリストが用意される。非限定的一例ではリストもしくは表は、患者の治療計画（例えば、ワン氏のもの）には、特定の時間内（例えば、３０日もしくはそれ以外の時間内）の「病気もしくは治療状態」、「治療波形」、「治療手段」、およびグレードで分類される治療効果を含んでいる。例えば、治療計画は、数のスケール（例えば、１〜１０のスケール）、もしくはレベルを使うものであり、人体状態情報および所定の基準にしたがって、例えば「とても良好」、「明らかに効果あり」、「まぁまぁ」、「いくらか効果的」、「効果なし」などである。一方で、ある特定の時間の様々な患者（例えば、ジャン氏やリー氏など）のパラメーターもリストや表に記される。
【００９５】
分類もしくはグループ化および選別(ステップ５０２)は、以下のように行われる。ある特定の時間、例えば３０日など、同じ病気もしくは状態の全ての患者のデータをリストの中でグループ化し、現段階で治療効果を達成するのに有用とわかっていることから、各グループ内の「とても良好」および「明らかに効果あり」もしくは他の順位基準が選択される。
【００９６】
比較（ステップ５０３）は、以下のように行われる。「とても良好」および「明らかに効果的」もしくは他の順位基準に対応するパラメーターおよび選別の際に選択されたパラメーターを現在のリストの治療効果と比較する。
【００９７】
アップデート（ステップ５０５）は以下のように行われる。病気もしくは状態の「治療波形」および「治療手段」に対応する良いもしくは効果的とされた比較データパラメーターを使って、効果が薄かったもしくは効果がなかったオリジナルの「治療波形」および「治療手段」を交換する。
【００９８】
非限定的一例において、上記プロセス５００は、恒常的もしくは繰り返しながらであり、そして所定のもしくは動的に決められた時間間隔で行われてもよく、このようにすることにより最適化された治療計画および量を施すことができる。いくつかの非限定的一例において、アップデートは、ＥＭＷの照射もしくは提供の際に起こり、そのようにすることにより波形が常にアップデートされる。他の非限定的一例において、これらは治療の合間にアップデートされ、もしくは治療をいったん止めるもしくは停止して、アップデートが行われる間は照射を止めており、そして治療は異なる波形で再開される。
【００９９】
プロセッサー、処理ロジック、マイクロプロセッサー、中央処理ユニットもしくは中央制御ユニット５０の機能は、上記において明確に記載した。しかしながら、当該分野においける当業者にとっては、機能を有する構成部材としての中央制御ユニット５０は、細胞励起端末５内にあってもよく、もしくはサーバー１に別にあってもよく、もしくは例えばデータベース１１などの他の部材に一緒に組み込んでもよい。いくつかの非限定的例において、中央管理ユニット５０の一部は機器５内にあってもよく、さらに別のコンピューターもしくはサーバーなどの外部ユニット内にあるプロセッサーもしくは補助的プロセッサーに依存するより処理負荷の大きいオペレーション内にあってもよい。
【０１００】
図６は、患者の病気もしくは状態および波形のマッピング関連性リストもしくは表の模式図である。該リストは、「病気」、「治療波形」、および「治療手段」で作られる。病気が左側の欄にあり、これは例えば心臓病、高血圧、高コレステロールおよび頭痛などの治療できる種々の病を含んでいる。
【０１０１】
心臓病は、病気と年齢によって心臓病Ａ１およびＡ２とに分けられる。高血圧は、年齢、病気およびその他の要因に従い高血圧Ｂ１、Ｂ２およびＢ３と、に分けられる。
【０１０２】
真ん中の欄は、Ｐ１、Ｐ２およびＰ３を含む治療波形を示しており、これは、一つの波形、または二つもしくは三つ（もしくはそれ以上）の波形の組み合わせ、さらに例えば強度などの波形の特徴が含くんでおり、各波形は同じではないこともある。右側の欄は、例えばＴ１、Ｔ２、Ｔ３およびＴ４などを含む連続した治療期間や、Ｓ１、Ｓ２およびＳ３を含む断続的な治療サイクルや、種々の波形の組み合わせの相互利用を示す周波数などの治療方法もしくは手段を示す。
【０１０３】
図６に示すリストによれば、中央制御ユニット５０（例えば、機器５内のＣＰＵもしくは外部プロセッサーと組み合わされたＣＰＵ）は、患者の健康状態などの情報に従い特定の病気もしくは状態に対応する好ましい治療方法をカスタマイズできる。
【０１０４】
しがって、該治療方針は、時間、サイクルおよび周波数、種々の治療波形および治療波形の組み合わせなどにより達成できる好ましい治療効果を最適化でき、さらに多くの場合においてそれを保証できる。
【０１０５】
ここに記載するように、治療方法は、患者の病気もしくは状態と波形との最適化されたマッピング関連性リストの結果である。有利には、最適化は、常にアップデートされ、もしくは少なくとも頻繁な間隔でアップデートされる。最適化は、いくつかの治療計画において実行される比較、選別およびフィルタリングなどを利用したアセスメント、フィードバックおよび解析に基づいており、それにより治療効果を常に最適化しており、さらに信頼性があり、さらに正確な治療効果を保証している。ここに記載されているように、アップデートおよび最適化が本願発明と従来技術との大きな違いであり、ＥＭ照射治療方法、ＥＭ照射治療方法の治療効果とにおいて突破口を作っており、これは本願発明者の創造的努力により達成されている。
【０１０６】
本願発明に係る治療用生体電磁波形は、患者の病気もしくは状態、および心拍数、脈拍数、血圧、ストレスレベル（可能であれば、皮膚保潤度センサーもしくは検知器により計測されたもの）、人体状態情報の種々の項目、血中酸素濃度、および／または生体的、もしくは身体バイタルサイン、もしくは状態のみ、もしくはこれらの組み合わせに依存している。波形は、異なる形、サイクル、強度などを有しており、これらはすべてマッピング関連性リストもしくは他の表、もしくは患者の病気もしくは状態と波形のデータ構成が記載されており、これは定期的にアップデートされている。
【０１０７】
図８は、テストを受けたいろいろな人達、テストを受けた人により示された症状、テスト計画、テスト時間、およびテストのアセスメント、さらに変化もしくは治療の効果を特定する表である。図８の表は、頭痛、腹痛、風邪、咳、不眠、腰痛などの種々の病気を示す。
【０１０８】
図７に示す例示的波形は、図８に占める種々の病気に対して特定の時間行われた治療効果の結果である。治療結果によれば、図７に示す波形の実施形態は、例えば頭痛、腰痛、風邪もしくはインフルエンザなどの病気や状態の特定された病気や症状に対して効果があり、したがって「明らかに効果あり」（明らかな治療効果を達成）とされる。
【０１０９】
図７の例示的波形に加えて、非常に多くの異なる波形は、ＰＷＭデジタルパルスストリーム、およびレジスタ‐キャパシタ回路もしくはＲＣフィルターからなるシンプルなＤ／Ａ変換器を使って形成されてもよく、そし電流波形を発生すると記載した波形形成器を駆動する。非限定的一例において、照射された電磁波を形成する波形形成器(例えば、図２の波形形成器５８１、５８２を参照)は、少なくともいくらかの電気的抵抗およびインダクタンスを有するワイヤーコイルの形状で物理的インダクタを少なくとも含んでもよい。特定のインダクタ特性のチューニングは、時定数を含む所望の特性を達成するために物理的インダクタを選別することにより達成される。電流を通すワイヤーは、インダクタンスおよびインダクタ要素の特性を決めうる要因であるワイヤーの大きさ、コイルする回数、コイルの直径（環状にコイルされている場合には内側直径と外側直径）、およびコイルの厚みにより形成される磁場を濃縮するためにコイルされていてもよい。異なる励起端末機器は、異なるコイル特性を波形と組み合わせて使ってもよく、それにより異なる効果を得られる。さらに、同じもしくは異なるインダクタ要素を一つの励起端末に使用してもよく、そして同じもしくは異なる時にエネルギー供給してもよく（例えば、単独の治療の際にスイッチの切り替えを行う、もしくは異なる治療においては異なる時にスイッチの切り替えが可能）、それによって所望のＥＭ波照射と治療効果の最適化を達成する。
【０１１０】
電子分野で知られているように、インダクタンスとは、磁場にエネルギーをためるインダクタの能力である。インダクタは、回路の電流の変化率に比例する反対の電圧を発生させる。電子回路の自己インダクタンスＬ（ヘンリーと呼ばれる１アンペア当たりのウェーバー（ｗｅｂｅｒ  ｐｅｒ  ａｍｐ）、もしくは他の一定の単位などを使用してもよい）の標準的な定義では、電圧は、自己インダクタンスＬを電流の変化と掛けさらにそれを時間の変化で割ったものとイコールであり、換言すればｖ＝Ｌｄｉ／ｄｔであり、ｖは電圧で、ｉはアンペアでの電流である。
【０１１１】
ここに記載する本願発明の実施例に係るシステムおよび機器は、様々な異なる波形を形成および利用するようになっており、可能な波形の全てをここに記載することは不可能である。
【０１１２】
しかしながら、特に有用な波形の一般的な波形の一つとして見つかっていて、さらに波形形成器で作られて治療的に効果のある波形の一つは、以下であり、
【数１】
0005883010.tif 000002
ａ）５ミリ秒  ＜  ｔ１ ＜０．１ミリ秒
ｂ）０．３ミリ秒  ＜  τ  ＜  ２０ミリ秒
‐τは、波形形成装置の形成の時定数であり、
‐ｔは、所定時間のポイントを示し、
‐（ｔ１−ｔ）は、パルスの持続時間もしくはその時間であり、
‐Ｉｍａｘは、回路内の最大直流電流（ＤＣ）である。
【０１１３】
単独でもしくは組み合わせて使用できるシステム、機器、診断および治療特性の両方を含む治療アプリケーションによれば、ＰＥＭＦを形成できる該システム、機器、および方法、携帯式機器は、患者の循環器系に著しい効果を与えることができる。
【０１１４】
さらに詳しくは、該機器、システムおよび方法は、高血圧症（高血圧）患者の状態を改善することがわかっており、これは、動脈血の血圧が上昇もしくは高すぎる状態にな心循環系の慢性疾患である。さらに、全体の動脈血の血圧が低すぎる低血圧症（低血圧）にも効果がある。
【０１１５】
高血圧症に関しては、人の体内に血液を巡らせるために必要以上に動かなくてはならない。血圧は、収縮期圧および拡張期圧の二つの圧の計測を含む。通常の血圧は、収縮期圧／拡張期圧の１２０／８０ｍｍ／Ｈｇを含む。収縮期圧は、心臓の筋肉が収縮している際の動脈の圧である。拡張期圧は、心臓の筋肉がリラックスしている状態もしくは収縮していない状態の心拍の間の動脈の圧である。一般的には、高血圧とは、収縮期圧／拡張期圧が１４０／９０ｍｍ／Ｈｇより上のものをいう。低血圧とはこの逆をいう。
【０１１６】
持続的な高血圧は、心臓発作、心筋梗塞、心筋不全もしくは心不全、動脈溜などの危険因子の一つであり、そして慢性腎不全の主な要因である。他の関連する心臓病（例えば、心筋虚血症、不整脈および心室細動などの冠状動脈の病気等を含む）も発症することがあり、さらに高血圧症もしくは低血圧症に起因する他の病気も起こり得る。
【０１１７】
血圧の改善に関し、該機器、システムおよび方法が、実質的には１０％の範囲内、および通常は５％〜１０％の範囲内もしくは８％の範囲内に血圧（高くもしくは低く）を効果的に改善できることを実験データが示している。さらに異なる効果的な改善点としては、機器および方法においてシグナルをより調整および／またはカスタマイズすることにより達成できる。例えば、現在も続く研究と開発により、大きな範囲で血圧を調整することが期待されており、例えば２０％の範囲内やさらなる研究や開発および／または他の治療制度と組み合わせることにより大きな範囲が期待される。収縮期圧／拡張期圧の１４０／９０ｍｍ／Ｈｇである高血圧の人において１０％の効果的な減少は、収縮期圧／拡張期圧の１２６／８１ｍｍ／Ｈｇを達成し、高血圧もしくは前高血圧の範囲から脱することができ、さらに減少できればさらに効果的な結果が得られる。血圧での改善は、達成された他の効果的な点に加えて達成されている。
【０１１８】
例示として、しかしながらこれに限定されるわけではないが、照射ＰＥＭＦは繰り返しの電流波形により発生されてもよく、さらに時間Ｉ（ｔ）の式としての電流波形のシングルサイクルは、以下の式（２）により定義される：
【数２】
0005883010.tif 000003
ここで、
ｅは、指数関数であり；
τは、ドライバー回路内のインダクタ要素で作られる時定数とイコールであり；
ｔは、時間における所定の点を示し；
（ｔ１−ｔ）は、パルスの時間もしくはオンタイムであり；
Ｉｍａｘは、ドライバー回路を流れることができる最大ＤＣ電流である。
【０１１９】
非限定的一例示において、最大電流（Ｉｍａｘ）は、ドライバーの回路網に回路が提供できる最大維持電流である。さらに重要なことに、時定数（τ）内で達成可能な最大電流を現しており、これは、式（２）および（３）により示される回路の出力量に関連する。
【０１２０】
患者の心循環系の状態を改善する最大化もしくは最適化、もしくは少なくとも最大化に近い、もしくは最適化に近い治療効果、もしくは治療効果のある量を達成するためには、以下の要因を有利には考慮および調整もしくは可能な限り最適化する：
【０１２１】
（ａ）パルスＥＭＦ（ＰＥＭＦ）の適用ポイント；
【０１２２】
（ｂ）ＥＭＦパルスの周波数の切り替え、例えば、１秒当たりの振幅もしくはサイクルに切り替えるもしくはヘルツ（Ｈｚ）に切り替える；
【０１２３】
（ｃ）適用ポイントにおける（もしくは他の参照ポイント）でのＥＭＦの磁場強度。
【０１２４】
例えば、患者の身体的変化により、ＥＭＦパルスの周波数の範囲の切り替えおよびＥＭＦ磁場強度を考慮し、それによって各患者および体もしくは組織の異なる適用ポイントに対する所望の治療効果を達成する。決められた範囲の周波数および磁場強度でのＰＥＭＦの適用は治療効果を最大にすることがわかっており、決められた範囲を超えた周波数および／または磁場強度の適用は、患者の循環器系に対して最少の治療効果もしくは全く治療効果がないことがわかっている。
【０１２５】
上述の記載は、形成されているもしくは形成されてもよい電界強度に対しての磁場強度（テスラもしくはマイクロテスラで計測）についてである。この違いは、荷電粒子に対しての磁場の強度は、荷電粒子の動きに一般的には起因しているが、荷電粒子対しての電界の強度は、荷電粒子の動きに起因するものではない。
【０１２６】
システム、機器および方法の非限定的一例は、適用した磁場、電界および／または適用した電磁場と電界の組み合わせによって治療効果を提供する。
【０１２７】
有利な治療的効果を提供するＰＥＭＦ周波数の範囲、および磁場強度は、以下のとおりである。
【０１２８】
（ａ）ＥＭＦパルス切り替え周波数範囲：一般的には、１０Ｈｚと７５Ｈｚの間、さらに特には実質的には、１５Ｈｚと６０Ｈｚの間であるが、最適な切り替え周波数は、通常、患者の組織および／または体の部位もしくはパルスＥＭＦが適用される場所の特徴に依存する。
【０１２９】
（ｂ）磁場強度範囲：一般的に約２５ｕＴ（マイクロテスラ）と５００ｕＴの間、さらに特には実質的に５０ｕＴと３００ｕＴの間、さらに特には、実質的に１００ｕＴと２００ｕＴの間である。テスラ（Ｔ）は、磁場Ｂ（磁束密度とも知られている）の単位としての国際単位系（ＳＩ）である。１テスラは、１平方メートル当たりの１ウェーバーに等しい。
【０１３０】
ＰＥＭＦ機器および／またはシステム特徴（周波数や磁場強度など）の実際の設定および方法は、特定の患者および／または治療されるべき患者の症状などに適するように有利にはカスタマイズされ、もしくは特定の患者と特定の患者の治療されるべき症状の両方に従って設定される。さらには、時間の経過に伴う治療の進展および治療の特徴は、所定のプラン、治療計画、施策、もしくは患者からのフィードバックの反応などにしたがって変化する。しかしながら、治療的な効果は、決められた範囲内のデフォルトの機器特徴からでも提供でき、たとえその機器特徴が最大のもしくは最適の効果もしくは治療的効果をすべての患者に与えなくても治療効果提供できる。
【０１３１】
５０％シグナルデューティーサイクル（半分「オン」タイム、半分「オフ」タイム）である時、関連性周波数（ｆ）に係る１５Ｈｚと６０Ｈｚの周波数範囲は、以下に示す時間パラメーターｔと時定数パラメーターτを有する波形式での１／（２ｘｔ１）に等しい：
【数３】
0005883010.tif 000004
【０１３２】
５０％シグナルデューティーサイクルは、効果的であることが知られているが、機器、システム、方法のオペレーションは、５０％シグナルデューティーサイクルに限定されているわけではなく、もしくは実質的に５０％シグナルデューティーサイクル（例えば１０％内の変動）にも限定されない。
８．３ミリ秒  ＜  ｔ１  ＜３３．３ミリ秒
１．２５ミリ秒  ＜  τ  ＜２．０ミリ秒
【０１３３】
他の周波数の数値範囲は、５０％デューティーサイクルの式：周波数＝１／（２ｘｔ１）に従って計算されてもよい。
【０１３４】
周波数と磁場強度に加えて、集中した電磁場の適用箇所も治療効果にとって重要である。テストを行うことにより、治療が効果を現すための可能性のある箇所が二つ認められた。一つの箇所は、患者の手のひらの中央であり、もう一つのポイントは、患者の足の裏の中央である。手の平と足の裏の両方では、心拍もしくは脈が、ここに記載する心拍センサーにより検知される。また、この二つの場所は、経穴を有しており、手の平の経穴（ＰＣ８経穴もしくは労宮）と、足の裏付近にある経穴（Ｋ１１もしくは腎経）とである、
【０１３５】
本願発明の実施形態では、細胞もしくは組織励起端末５は、別に機能するように使用されてもよく、さらにオプションのサーバー１は不要である。この場合、プロセッサー、処理ロジック回路、もしくはＣＰＵ５０は、機器５の全体を制御でき、それにより患者に治療を施し、その一方でサーバー１のデータベース１１および他の機能モジュールは細胞励起端末５もしくはプロセッサーまたはＣＰＵ５０と組み合わされており、細胞励起端末５がひとりで動くとき、細胞もしくは組織励起端末５は、新規で変調されたエンコードデータ波形（それにより患者に適用できる）の形成、保存およびダウンロードをいつどんな場所でも、携帯電話ネットワークもしくは他の有線もしくは無線コミュニケーションネットワークを介して提供できるため、本願発明の目的を達成する。
【０１３６】
サーバー１および／またはデータベース１１などの外部情報および／または処理ソースとの接続は断続的であってよい。
【０１３７】
本願発明の非限定的例示に係る治療システムのワークプロセス１１００の例を以下に示す。
【０１３８】
細胞励起端末５は、人体の一部に物理的に設置、配置もしくは固定される（ステップ１１０１）。例えば、ヒトの手の平もしくはヒトの足の裏もしくは腕もしくは他の部位で踏んだり、もしくは付けたりなどの体の一部の経穴付近に保持したり付けたりする。細胞励起端末５は、非常に小さく（例としては、適用された時に体から伸びるように、一般的には幅３インチｘ長さ４インチｘ高さまたは厚み２インチと、幅１インチｘ長さ２インチｘ高さ１インチの間）、したがって体の部位に固定もしくは設置するのが簡単である。選択的におよび有利には、細胞励起端末は、ストラップ、再生可能な接着表面もしくはテープなどのなんらかの接続手段、もしくは治療を受ける体の部位に単純に置かれる。非限定的一例においては、励起端末は、エミッタが手の平と接するように覆うように手の平に保持されてもよく、それによって治療を受ける人によって容易に保持される。もしくは、ベルクロストラップを使用して、細胞励起端末機器５を手に付けてもよい。さらに、別の非限定的一例では、励起端末機器は、治療を受ける人の手にはめられた手袋のポケットに置かれてもよく、該手袋は、手の平とエミッタ表面が接着するように穴もしくは開口部を選択的に有しいている。励起端末機器５は手の平の治療に適しており、赤外線（ＩＲ）ビームを使うセンサーが、血流、酸素濃度、脈、心拍および他のパラメーターなどの、患者の状態の情報を指先から測るのに使われてもよい。さらに、皮膚伝導表面も患者の皮膚の保湿度をモニターおよび計測するように設けられてもよく、皮膚の保湿度は、精神的もしくは環状的ストレスの指標もしくは他の身体的状態の指標となり、波形のカスタマイズ化に関して有用な情報を提供する。
【０１３９】
細胞もしくは組織励起端末５は、物理的にオン‐オフのスイッチを切り替えたり、シグナルもしくはコマンドを有線もしくは無線コミュニケーションリンクから送ることにより電源が入れられる（ステップ１１０２）。この場合、細胞励起端末５は、動きだし、心拍センサー５８が人体の状態もしくは対象の情報を常もしくは所定のもしくは動的に決められたサンプリング間隔で検知し（ステップ１１０３）、そして人体状態情報をプロセッサーもしくはＣＰＵ５０に送る（ステップ１１０４）。
【０１４０】
そして、外部サーバー１およびデータベース１１が設定されると、人体状態情報は遠隔サーバー１のデータベースに、プライベートもしくは公衆の有線および／または無線のネットワークなどのコミュニケーションリンクを介して送られ（ステップ１１０５）、そのようにすることで、保存（ステップ１１０６）、そして将来的な参考用として、動的かつ適応したカスタマイゼーションおよび他のオペレーションまでに選択的に後の工程でアクセスできるようにし（ステップ１１０７）、ここで記載のように利用する。
【０１４１】
人体状態情報や、保存もしくはタイミングよく計測された他の身体的状態パラメーターのデータ、対応する生体電磁波（情報）、および治療方法は、患者の病気もしくは波形のマッピング関連性リストもしくは表から患者のために選択される（ステップ１１０８）。細胞もしくは組織励起端末５のプロセッサーもしくはＣＰＵ５０は、Ｄ／Ａ変換器にデータを送り、波形多重変換器５６（もしあれば）、ドライバー５６１（もしあればドライバー５６２も）、ドライバー５６１（もしあればドライバー５６２にも）に接続している波形形成器５８１（もしあれば、波形形成器５８２も）を制御し（ステップ１１０９）、対応する生体電磁波を発生させ（ステップ１１１０）、そして治療を施すために治療方法を患者に直接使う。
【０１４２】
一つの波形形成器を有する一例においては、細胞もしくは組織励起端末５のプロセッサーもしくはＣＰＵ５０は、Ｄ／Ａ変換器にデータを送り、ドライバー５６１およびドライバー５６１に接続している波形形成器５８１を制御し（ステップ１１０９）、対応する生体電磁波を発生させ（ステップ１１１０）そして治療を施すために直接患者に治療方法を使う。
【０１４３】
さらに、選択的におよび有利には、治療工程中において、細胞もしくは組織励起端末５内のセンサーは、常に人体状態情報を検知し（ステップ１１１１）、その情報をプロセッサーもしくはＣＰＵ５０（ステップ１１１２）と遠隔サーバー（もしあれば）にタイムリーに転送し（ステップ１１１３）、それにより照射治療の生体電磁波をタイムリーに調節、選択、変化させる（ステップ１１１３）。これによって、少なくとも一時的に治療もしくは治療セッションを効果的に終える。
【０１４４】
さらには、選択的もしくは有利には、治療を終えた後、治療のＥＭ波、治療手段および治療効果（検知された人体状態情報もしくは他のテスト、状態もしくは目的情報などに反映されており、もしくはそれらを解析することにより得られる）をサーバー１に送り（ステップ１１１４）そして保存する（ステップ１１１５）。
【０１４５】
何人かの患者が特定の数値に到達した後、もしくは一人の患者がいくつかの治療を受けた後、遠隔サーバーの最適化モジュールは、患者の病気および波形と対応する波形と治療手段のマッピング関連性リストをアップデートし（ステップ１１１６）、例えば、効果的もしくは治療効果の中でも「著しく」治療効果ありなどである。このようにすると、患者は、アップデートされたＥＭ照射と波形を受けることができ、それによって恒常的に動的で適切に最適化された治療効果を提供でき、多くの場合保障でき、いつも変化する人体の身体状態の要求に応えることができる。
【０１４６】
さらに、本願発明に係る治療システムは、選択的におよび有利には、遠隔操作されていてもよく、それにより治療ＥＭ波は、患者の治療中に調節もしくは変化させることができ、そのようにすることにより様々に変化する人体にタイミングよく適応できる。いつくかの非限定的治療計画においては、治療セッションの第一期においては第一種類もしくは特性を適用し、治療セッションの第二（後続の）期においては第二種類もしくは特性を適用するなどの時間の経過に伴い処方された変化があってもよい。
【０１４７】
本願発明の一実施形態においては、タイムリーな動的および／または適応したおよび／またはカスタマイゼーションされた治療ＥＭ波は治療効果をさらに向上する。非限定的実施例を以下に示す。
【０１４８】
他の特定の例示しかし限定的はない例示において、（１）使用されるＥＭ波治療方法は、異なる状況にしたがって変えられる。例えば、患者の心拍もしくは脈拍数を検知することにより、患者の心拍数は、心拍もしくは局所的な脈拍の前、間、および／または後の時間内に特定のＥＭパルスもしくはＥＭパルスのセットや一連のＥＭパルスに直接同調したりもしくは変化を加えている。もしくは、検知された心拍数は、異なるもしくは変調されたＥＭパルスもしくはＥＭパルスセットを、使用して変化もしくは交換をいつどこで行うかを決めるのに使われる。心拍もしくは脈拍および、次の予期される心拍もしくは次の予期される脈拍というのは、数秒の間であれば心拍と心拍の間もしくは脈拍と脈拍の間においてそれほど変化があるわけではないので、同調は、心拍もしくは脈を送る、もしくは短い時間の間における心拍もしくは脈を予想する、もしくはこれらの組み合わせおよび／または他の方法により達成される。
【０１４９】
例えば、非限定的例示おいて、選択された第一波形の第一波と特定の波形特性は特定の方法でＥＭ波を変化させるのに使用されてもよく、例えば、波形形状および／または周波数構成、振幅、波形形状および振幅および／または周波数構成、タイミングもしくは他の特性の組み合わせを変化させるなどに使用されてもよい。これらの変化は、例えば、心拍の間もしくは脈拍の間に行われてもよいが、ＥＭ波治療が適用される患者の体の部分の心拍もしくは脈に対応したときに行われ、この変化は、ＥＭパルスを変調するだけに使われてもよく、これは心拍（例えば、１秒間に６０〜１２０心拍）に対応したもしくは同調した３０Ｈｚの割合（１秒間に３０回もしくは３０サイクル）行われ、またはＥＭパルスの数を予めもしくは動的に決定するのに使われてもよく、または心拍もしくは脈の時間もしくはおおよその時間を動的にまたは予め決定するのに使われてもよい。
【０１５０】
他の特定のしかし非限定的例示において、（２）機器は、タイミングのよい患者の人体状態情報を基に、ＥＭＦ（磁場および電界）を変調するのに使用され、もしくは磁場のみを変調するのに使われ、もしくは電界のみを変調するのに使われる。例えば、ＥＭＦへ反応（例えば、心拍数もしくは心臓のリズムの変化）などであり、これにより所望の効果を達成することによって治療効果を向上する。例えば、ＥＥＧおよび／またはＥＣＧなどの機器により検知されたもしくは得られた心拍、心臓のリズムおよび／または他の心臓関連パターンもしくは状態は、本願発明に係るシステムにおいてフィードバックとして使われる。選択的には、患者の他の身体状態を検知するために追加のセンサー機器が、携帯機器内に設けられており、もしくは別に設けられている。例えば、ＥＥＧシグナルを人体からえることができ、特に患者もしくは治療を受けるものの頭部からえることができる。複数のセンサーもしくはセンサー機器を患者の体もしくは治療する組織もしくはその付近の異なる場所に使われてもよい。
【０１５１】
本願発明の非限定的例示において、ＥＭ波形成器は、比較的低周波なパルス磁場を使用できるように形成器を構成してセットされており、それにより患者の体の血流を促す。低周波は、通常１０Ｈｚから２００Ｈｚの範囲であり、典型的には、２０Ｈｚから１２０Ｈｚの範囲であり、さらに典型的には、２０Ｈｚから４０Ｈｚの間であって、特定の実施例では、実質的に約３０Ｈｚ（例えば、約１０パーセントの変動を最大で含む、すなわち３０±３Ｈｚ）である。
【０１５２】
さらに、非限定的例示において、本願発明は、診断ツールもしくは道具として適用されてもよいが、直接的な治療ではなく、もしくは診断に使用されて、その後もしくは同時に治療に使われてもよい。一例において、本願発明は、例えば、医療従事者（または、自分の治療を任せられている人もしくは他者）施術者などが、磁場の波形および周波数、そして波形の形もしくは振幅を変調させるのを可能にし、それにより患者の診断に適用できるようにする。また、種々の波形を適用してもよく、患者の体の一部もしくは経穴に適用される波形と、体の別の部位もしくは別の経穴に適用する波形は異なるものでもよい。
【０１５３】
さらには、多数のセットの携帯式機器を利用してもよく、多数のセットの携帯式機器は、同じもしくは典型的には異なる波形を使用することができ、これらの波形は動的に変化してでき、これらの波形は、同時に人体の異なる部位もしくは異なる経穴に適用することができる。さらには、ここに記載されるように、多数のセットの機器もしくは装置は、同時に一つの機器だけもしくは選択したすべての機器を使用（電磁場を照射）できるようにする。したがって、多数のセットの装置は、一患者の異なる経穴に適用することができ、プログラムされた治療計画にしたがって制御され（例えば、タイマーもしくはローカルな無線もしくは有線接続により）、そして作動する。この方法において、患者は、多数の治療を、および／または異なるＥＭ波特徴を使い、もしくは両方を使い治療者もしくは施術者による手動の継続的な変化を必要としない効果的な方法において、異なる体の部位に受けもしくは適用される。例えば、多数の異なる細胞もしくは組織治療機器５（例えば、このような機器を６個）を一患者の体の異なる部位に設けもしくは固定してもよく、それらは、自動的にプログラムおよび制御され、それにより第一時期において、二つの機器が同じＥＭ波を異なる体の部位に照射し、その後、二つの機器は照射をしないように電源を切られたりもしくは停止し、そして一定時間後、別の体の部位にある異なる二つの機器が、予めわかっているプリプログラムされたＥＭ波特徴もしくはオペレーション中に決定もしくは他の機器により検知されたＥＭ波特徴を使用して作動する。
【０１５４】
図１１は、本願発明の励起機器のさらなる他のブロック模式図であり、外部コンピューター、情報機器、コンピューターおよびデータ保存容量を有するスマートフォン、前述のサーバー１および／またはデータベース１１などのコンピューターサーバーなどの接続に使われるコミュニケーションユニットを示す。
【０１５５】
マイクロプロセッサー、プロセッサー、処理ロジック、もしくは中央制御ユニット（ＣＰＵ）５０は、種々の内部回路と構成部材に対して作業制御をし、そしてコミュニケーションに使われるパルス幅変調デジタルパルストレインの形のシグナルなどのデジタルシグナルを発生させ、そしてデジタルストリームをより平滑な（通常は、より低周波に）アナログシグナルに変換する平滑要素で受信する。機器５の例示は、低域通過フィルター、他のフィルター、および／またはデジタル‐アナログシグナル（図示するように）を使用して、ドライバーモジュールに送るシグナルを発生させる。データ、ソフトウェアアルゴリズム、制御、患者のデータなどのデジタル情報の保存は、プロセッサー内のメモリーに保存されてもよく、もしくはプロセッサーに組み合わされた別のメモリーに保存されてもよい。フラッシュメモリーカード、マイクロＳＤカード、もしくは他のメモリーカードなどのリムーバブルメモリーカードを受けるためのオプションのメモリーカードスロットが、提供されていてもよく、さらに励起端末の外部表面に露出していてもよい。選択的に、ＵＳＢポートが、ローディング、保存、データ、ソフトウェアもしくは他の情報の読み取りのために提供されていてもよい。これらは、提供されるワイヤレスインターフェースもしくはコミュニケーション手段に加えて提供されていてもよい。
【０１５６】
リアルタイムの時計が、有利には提供され、それにより治療時間を正確に制御し、さらにそれにより患者の状態情報がデータベースに送られて正確な刻印とデータに基づく最適化に使われる。
【０１５７】
ディスプレイは、施術者もしくは患者に使用前、間、もしくは後に情報を提示できるＬＣＤ、ＬＥＤもしくは他のディスプレイなどの簡便なディプレイであればどれでもよく、それにより機器５に自己診断チェックおよび／または他の情報を提供する。
【０１５８】
デジタル‐アナログブロックもしくはモジュールは、時間により変動するデューティーファクターを有するパルス列などのパルス幅変調（ＰＷＭ）出力に基づいている。ＰＷＭパルス列は、安価なデジタル‐アナログ変換機を形成するＰＷＭと低域通過フィルターの組み合わせにより処理され、それにより正確でシンプルな波形成と合成機能を提供する。シンプルで効果的な低域通過フィルターは、レジスタ‐キャパシタペアを使うことにより形成される。異なる波形の形、周波数、および振幅はこのようなＰＷＭシステムと低域通過フィルターを組み合わせることにより発生される。さらに進化したＤ／Ａ変換器を端末に使用することができ、それにより正確な波形合成を行うことができる。
【０１５９】
駆動ブロック回路もしくはモジュールは、インダクタ要素に前述のようなシグナルＩ（ｔ）などの駆動シグナルを発生させる。
【０１６０】
インダクタ要素は、典型的にはコイルやワイヤーの形状である電子的インダクタを含み、さらにワイヤー自身からのいくらかの抵抗Ｒも含む。インダクタ要素は、理想的なレジスタと共に連続した理想的なインダクタをモデルとしてもよく、ドライバーからの出力として受信するシグナルのために負荷として機能する。
【０１６１】
心拍数検知器、脈拍数検知器、血中酸素濃度検知器、皮膚保湿度検知器、皮膚もしくは体温センサーなどのセンサーもしくは検知器、および他の検知器もしくはセンサーは、選択的におよび有利には各治療用に保存され使用される身体的状態情報を患者に提供するために一つだけ使用してもよくもしくは組み合わせて使用してもよく、それにより波形が動的におよび適応するように変化もしくは変調され、それにより治療が最適化されるようにする。
【０１６２】
図１２では、機能ブロックをより詳細に図示している。図１３Ａは、マイクロプロセッサーブロックもしくはモジュールをより詳細に図示している。図１３Ｂは、充電システムとバッテリーセンサーブロックもしくはモジュールをより詳細に図示している。図１３Ｃは、リアルタイム時計ブロックもしくはモジュールをより詳細に図示している。図１３Ｄは、ディスプレイもしくはＬＣＤブロックもしくはモジュールをより詳細に図示している。図１３Ｅは、心拍センサーブロックもしくはモジュールをより詳細に図示している。図１３Ｆは、Ｖｂスイッチ切り替え供給ブロックもしくはモジュールをより詳細に示す図である。図１３Ｇは、Ｖｃスイッチ切り替えブロックもしくはモジュールをより詳細に示す図である。図１３Ｈは、ＶａＬＤＯブロックもしくはモジュールをより詳細に示す図である。
【０１６３】
心拍数は、人体の身体パラメーター（当然ながらバイタルサインである）として重要であるため、動的波形と治療の変更に加えて他の目的を果たしている。特に、患者に安全性を提供しており、それによりもしも治療前において心拍数は許容範囲外にあるとき、プロセッサー５０は、励起ユニットのオペレーションを阻止し、もしも心拍数が治療セッション中において許容範囲外になった場合には、セッションを中止し、さらに心拍数によっては、シグナルもしくはコミュニケーションを施術者に送ってもよく、もしくは離れた場所にいる医療従事者に送ってもよく、それにより許容外の心拍数の原因を特定し必要であれば助けを呼ぶことができる。
【０１６４】
３つの電源供給もしくは電源供給源は、作業電圧および電流を励起端末機器５内の異なる回路とモジュールに提供する。
【０１６５】
図１３に関し、図１３Ａ−１３Ｄは、携帯式励起端末治療機器の例の物理的構成と小型性を示すものである。一例では、実質的に２．７５インチｘ３インチｘ１インチの寸法であり、別の例では実質的に２．６インチｘ２．３インチｘ１インチの寸法である。最終製造物において寸法がいくらか小さくなることは予想されるが、携帯式機器が体の部位もしくは経穴に、著しい我慢もしくは不快感なしで適用できるサイズを有することを意図しおり、所望されればポケットやカバンにいれて簡単に運ぶのに充分小さいことを意図している。様々なボタンおよびスイッチおよびセンサー開口部が機器に図示されており、さらにバッテリーの充電を維持するため、および／またはバッテリー内部で再充電するための充電コネクタも図示されている。図１２Ａは、端面図を示しており、図１２Ｂは、上からの第一透視図を示しており、図１２Ｃは、側面からの第二透視図を示しており、図１２Ｄは、例示的な携帯機器の側面図を示している。
【０１６６】
携帯式励起端末もしくは機器５では、ケースもしくはハウジングは、手の中に納まるようにされており、手の平の経穴での治療に役立つようになっている（また、これらの場所は両方とも経穴を有し、手の平の中の経穴（経穴ＰＣ８もしくは労宮）と足の裏
のあたりのＫ１１もしくは湧泉における経穴）は、この用途に限られるわけではない。携帯式励起端末機器は、手の平に保持されるようになっている（労宮の経穴付近）。心拍数もしくは他の情報のディスプレイも表示される。ディスプレイは、異なる状態情報を巡るようにプログラムされてもよく、もしくは使用者が見て回るようにする入力、もしくは作動もしくは状態を決定するために見てまわるようにされていてもよい。ハウジングの形は、ＥＭ波エミッタ領域を最適なポイントもしくは治療の場所の中心にくるようにされている。さらに、心拍数、皮膚保潤度、脈、体温、室温、もしくは他の検知された状態もしくは情報を計測するための一以上のセンサーが、有利には、ハウジングの適切な場所にあり、それにより意図する検知された情報が得られるようにする。
【０１６７】
この特定の例は、人の手の平に置くもしくは再剥離できるような人間工学的サイズおよび形状をしている。異なるサイズのハウジングが提供されても、同じもしくは実質的に同じ内部電子部品を有するもので、それにより機器５が異なる手のサイズにも合うようにし（例えば、大、中、小など）、エミッタを手の平の中の最適な場所に置き、ＩＲセンサーポートもしくは開口部が設けられて、治療の前、間および／または後の患者の心拍数、脈拍数、血中酸素濃度および／または他の状態情報もしくは身体的データを検知するための指もしくは指先の最適な場所をマッチングする。電気的導電性センサーは、手の皮膚と接触する場所のハウジングの表面に提供されてもよい。ディスプレイは、ユーザーへの指示および／または情報およびデータを、自動的または外部もしくは内部のシグナルもしくはクエリーに応じて、有利には提供するようにされていてもよい。
追加の詳細
【０１６８】
一観点では、例示としての小型の（一般的には、携帯電話もしくはＰＤＡ機器ぐらいの大きさ）携帯式バッテリー電源機器は、従来の機器、システムおよび方法と比較して多数の特徴と有利な点を提供する。これらの特徴、例示として以下含むがこれに限定されるわけではない。
【０１６９】
（１）患者の心拍数もしくは脈拍数を検知し、心拍もしくは局所血圧の直前、間、もしくは直後の一定時間の間、特定の電磁波もしくは電磁波のセットが、患者の心拍数領域を通過し、もしくは検知された心拍数を使って、一回の治療セッションもしくは治療セッションと治療セッションの間において、異なるもしくは変調された波形もしくは波形特徴に変更もしくは置換するタイミングを決定する身体的および／または患者のモニタリングセンサーもしくは検知器もしくは他の手段。例えば、非限定的一例において、選択された第一波形およびその特定の波形特性は、心拍および脈の間に使用されてもよく、しかしなんらかの方法で電磁波を例えば波形の形状および／または周波数構成、振幅、もしくは他の特性を変えることにより行われる変調する心拍もしくは脈に対応する時点において行われる。これは、心拍（例えば、１分間に６０から１２０回の心臓の拍動）に対応もしくは同調している３０Ｈｚの割合（１秒間に３０回で適用される）一つの変更された電磁波パルスへの変化であってもよく、または予め決められたもしくは動的に決められたいくつかのＥＭパルスもしくは心拍もしくは脈の時点もしくは時点近くでの予め決められたもしくは動的に決められた時間の変化であってもよい。さらには、血中酸素濃度センサー、皮膚保潤度センサー、皮膚温度センサー、もしくは他のセンサーの単独のものもしくはこれらを組み合わせたものなどのセンサー、検知器および／または他の検知のための手段は、波形の変化もしくは変更、および／またはそのような変化もしくは変更を加える時を決定するのに使われてもよい。これらの変化もしくは変更は、心拍もしくは脈の発生と関連していてもよく、もしくはこれらのタイミングとは独立して使われてもよい。
【０１７０】
（２）電磁場、もしくは磁場のみ、もしくは電界のみを発生および／または変調して電磁場に対する患者の反応に基づいて（例えば、検知された心拍数もしくは心臓の拍動リズムの変化または検知された患者の身体的状態など）所望の結果を達成するための形発生回路または波形の制御、選択、形成、もしくは他の手段。様々な心拍、心臓の拍動リズム、および／または心循環系に関係したパターンなどは、従来のように心拍センサー、血圧センサー、心電図、ＥＫＧ，および他のセンサーを単独でもしくは組み合わせてフィードバックとして携帯式励起端末もしくは機器に使われてもよい。または、もしくはさらには、センサー、検知器もしくは他の検知手段は、例えば、体から検知される、特には患者もしくは治療を受けている人の頭部から検知される脳波パターンなどの患者の他の状態を検知するために携帯式機器内もしくは該機器の外部に別に設けられてもよい。外部機器からのこのような検知されたシグナルは、有線もしくは無線のコミュニケーションリンク（例えばブルートゥース、ＷｉＦｉコミュニケーションリンクなど）を介して、もしくはコミュニケーションリンクを介したサーバー１とのコミュニケーションを通して、携帯式端末もしくは機器５に送られ、それによりコンピューターサーバー、携帯機器コンビネーションと実質的同期して使われるようにし、もしくは後で波形を選択し最適化するための解析時において使用するために保存する。
【０１７１】
（３）電磁波形成器は、低周波を照射するように構成されており、異なる度合で焦点の合わされたもしくは照射パターンを有する焦点の合わされたもしくは放射ＥＭ場、パルス磁場、ここでは、該低周波としては通常１０Ｈｚと２００Ｈｚの間で、より典型的には２０Ｈｚと１２０Ｈｚの間で、さらに典型的には２０Ｈｚと４０Ｈｚの間で、ある特定の例では、約もしくは実質的に３０Ｈｚ（例えば、３０Ｈｚ±３Ｈｚ）である。これらの低周波ＥＭパルス（実質的に３０Ｈｚ±１０％）が、患者の体の中での血液の循環に対して特に治療効果があることがわかっている。
【０１７２】
（４）同じ低周波、パルス磁場を使って、使用者の血流を刺激および／または向上し、人の老いたおよび眠っている血液細胞を蘇生することへの使用。この形態の治療が血液凝集の形成もしくは存在を減少させるのに効果的であることは実験的にわかっており、この血液凝集は、通常は、不健康な状態や患者の体内の何かに対する炎症などにより形成されると考えられている赤血球の直線状のつまりもしくは塊であり、人の患者の体などの脊椎動物の赤血球の円盤状の形が、健康状態がよくないときにこのような塊を作ってしまう。
【０１７３】
（５）医療従事者（もしくは、自分で治療を行う人）などの治療を行う人が、波形の周波数、波形形状および波形振幅、もしくは電磁場の特徴および特には電磁場の磁場構成部分を、診断された患者の病気もしくは状態に、合わせるもしくはカスタマイズできるようにすること。ここに記載されているように、ここで記載する解析もしくはコンピューター特性（例えば、サーバー、データベース、プロセッサーもしくはＣＰＵ）は、治療のためのカスタマイズされた波形を提供し、動的な適応もしくは変調を行い、そして、それにより使用者が直接波形を変化もしくは選択する必要がない。多数の異なる波形を適用してもよく、体の一部（例えば、手のひら、足の裏、鍼灸経路脈もしくは経穴、または他の場所など）に適用された波形は、体の他の部位に充てられたものと異なるものであってもよい。さらには、多数の携帯式機器が使えるとき、同じもしくは典型的には異なる波形および動的変調のいずれかを使って、体の他の部位にも同時に適用してもよい。さらには、多数の機器が、異なる携帯式励起端末もしくは機器と一緒に使われてもよく、これらは、なんらかの方法で時間の式として組み合わされ、それにより一つだけもしくは選択されたものだけ、もしくはすべての機器、もしくはすべてではない機器が同じ時に作動（すたわち、電磁波もしくはＥＭ場を照射する）するようにする。したがって、多数の携帯式機器は一人の人の体の異なる体の部位に適用されてもよく、さらにプログラムされたもしくは動的に決定された治療パターンもしくは計画に従って作動するように制御（例えば、タイマー、リアルタイム時計、もしくはローカルな無線もしくは有線接続など）する。
【０１７４】
（６）新規で整えられたもしくはカスタマイズされたエンコードデジタル波形を携帯式励起端末もしくは機器５に、利用可能なコミュニケーションリンク、システムもしくは他のコミュニケーション手段を介して、いつどこでも（したがって、患者への治療に適用できる）提供できるようにするための形成、保存、およびコミュニケーションもしくはデータアップロードおよびダウンロード手段。非限定的に一例において、携帯電話ネットワークまたは他の無線もしくは有線のコミュニケーションネットワークを使用してもよく、さらに患者が携帯式端末もしくは機器５を扱う時、彼もしくは彼女は、彼らの携帯電話を有利には利用して、状態情報および／または波形シグナル特徴（例えば、エンコードされたデジタル波形）もしくはすでに携帯式機器にすでに保存されているか利用できる様態であるか、もしくは使用者もしくは施術者が持っているメディアに保存されていれば、このようなエンコードされた波形の識別評（ｉｄｅｎｔｉｆｉｅｒ）をアップロードもしくはダウンロードする手段が提供される。携帯式励起端末もしくは機器は、特定の波形および／またはプログラム可能なもしくは選択された特徴と共に作られ、それにより外部機器、ネットワーク、もしくは外部サーバーなしで利用されてもよい。いくつかの例では、医者もしくは医療従事者が、患者の訪問の後に波形をプログラムしてもよく、またその時点での身体的パラメーターの許容範囲をプログラムもしくはセットしてもよい。特には、このような携帯式機器は、サーバー、患者の携帯電話、もしくは他の外部システムなしで作られてもよく、さらには使用されていてもよい。このような自己完結型携帯式機器は、より強力な処理機器を含んでいてもよく、ユーザーデータおよび波形の保存のための追加のソリッドステートメモリーを含んでいてもよく、新規な情報もしくは波形形状を外部ソースから（例えば、メモリーカードから、もしくはＵＳＢもしくは他のコミュニケーションポートから）ロードするための手段を含んでいてもよいが、作動中においてこのような外部ソースに必ずしも依存するわけではない。一つの治療セッションの間にもしくは異なるセッションとセッションの間において動的および適応するように波形をカスタマイズすることは、内部プロセッサーもしくはＣＰＵ、または励起端末もしくは機器の内部のセンサーもしくはローカルコミュニケーションに依存してもよく、検知された身体的データを回収し、そして波形を自主的に変調もしくは変化させて使う。非限定的一例において、自己完結型励起端末もしくは機器は外部サーバーもしくはデータベースにアクセスしてもよく、それによりアップデートされた波形を得ることができ、さらに精密な解析のためにおよび／または他の患者の情報との比較に使用者のデータを送ってもよい。しかしながら、手順通りの治療のためにこのような外部サーバーもしくはデータベースに必ずしも依存するわけではない。心拍センサーもしくは検知器により提供される安全性は、身体的状態もしくはパラメーターが許容範囲外にある場合には、ＥＭ場照射を中止させることができる。このような場合、患者は、励起機器を作動させる前に、より多くの診察を受ける必要がある。作動させるために閾値を変化させる余裕があることは、判明している身体的パラメーターの範囲外になる理由が他にある時には可能になる。
【０１７５】
（７）体の部位に適用された強度もしくは電磁場の強度が低くても、もしくは携帯式機器にしては低くても、より大きな合計もしくは一体化したＥＭ場で患者の体全体に浴びさせたとしても、不明な効果が知られていない充分な強さで一以上の体の部位に（例えば、人の手もしくは足の付近、もしくは鍼灸経路脈もしくは経穴）電磁照射を提供する。
【０１７６】
（８）携帯式機器から照射される電磁場を形成する能力を提供し、それにより機器による電力消費を最小限にし、さらに充分な治療効果を維持しながらも、体もしくは体の一部において、所望する空間的な治療パターンもしくは強度を達成する。
【０１７７】
本願に記載の特徴からもわかるように、治療用途における電磁場を利用する従来の機器とは違い、本願発明のシステム、機器、方法は、治療の効果の向上において多くの点でより進化している。
【０１７８】
例えば、本願発明のシステムおよび携帯式機器および治療方法は、動的にカスタマイズされたパルス磁場を提供するが、これに従来のシステムおよび機器は、静的な磁場を提供し、ここでは波形が経時的に変化することもあるが、このような波形は繰り返しであって、患者の体の検知に対応して動的に変調もしくは変更しているものではない。
【０１７９】
さらに詳しくは、磁石によるシステムもしくは機器（これらは、磁性金属の固体もしくは継続的な磁場強度を持つ磁化材料からできている永久固定磁石）があり、使用者もしくは患者は永久磁石を局所に適用する（すなわち、リストバンド、ネックレスなど）。また、有益な治療効果のために周囲の電磁波もしくは磁場を外部環境から取り入れて濃縮すると言われている金属機器を体に装着するものもある。また、いくらか携帯可能なユニットもあり、ここでは、永久磁石は、モーターの上に置かれ、回転により磁場を変調するために回転するが、しかしながらいったん作られてしまった後は、この機器の回転を変調することはできず、患者の状態、身体的特徴、もしくは治療中の状態に合わせて波形をカスタマイズすることもできず、また本願発明が有する他の有利な点および特性に合わせることもできない。
【０１８０】
また、電磁場を出す大きな非携帯式医療システムがあるにはあるが、しかし使用者ができる制御は電磁場強度（すなわち、振幅など）を変えることだけであって、このシステムには、患者の状態をモニターもしくは検知するシステム（すなわち、心拍数の変化、脈の変化、血中酸素濃度、皮膚保潤度、体温、これら単独もしくは組み合わせ）はなく、結果を最適化するために治療中に動的に変更すること（例えば、波形、周波数特徴、振幅、脈拍、もしくはリアルタイムもしくは実質的にリアルタイムに近いコミュニケーションによるほんの少しの遅れ程度の状態で完全に違う波形形状を選択し適用する、もしくは治療セッションと治療セッションの間で変調する）はできない。タイミング回路もしくはプロセッサーアルゴリズム、および／または他の波形への移行手段は、異なる波形特徴および／または波形の移行の間において選択的に提供されてもよく、それにより患者への効果をゆっくりと変え、ストレス、ショックを最小限にし、もしくはすばやい効果のオンもしくはオフ、および／または一つの波形形状および／または特徴から別の波形形状および／または特徴への早い切り替えによる悪影響を最小限にする。いくつかの非限定的に例示においては、この移行手段は、励起端末もしくは機器５内のプロセッサーもしくはＣＰＵ５０を含んでもよい。
【０１８１】
また、患者が違えば、異なる電磁波パターンに反応することは知られており、したがって、本願発明の携帯式励起端末もしくは機器およびシステムでは、最良の治療結果および効果のために、波形パターンもしくは波形形状、および波形特徴は動的もしくはプログラムにより変更できる。
【０１８２】
前述のように、本願発明の機器およびシステムは、公知の制御された電磁場強度および用量を使って、ヒトもしくは動物の体の一部に（例えば、患者の手もしくは足、患者の皮膚から見える血管に沿って、および／または経穴もしくは経路に沿って）選択された電磁場を適用するが、これに対して従来のシステムは、磁場を患者の体全体に浴びせなければならない。前述のように、非限定的一例では、ワイヤーコイルを含むインダクタ要素は、約１／２から約２インチの間の領域から照射し、特定の例では、インダクタ要素コイルは、実質的に１インチ±０．２インチの範囲で照射するが、これは人の体全体と比較すると著しく少ない。
【０１８３】
従来の機器、システム、治療方法およびプラットフォームは、電磁場の照射場所に関しては選択できない。従来型のものは、使用者の体全体に電磁場を浴びせるか、もしくは患者自身が不快に感じる場所を自分で特定する必要があった。これらは、フィードバックもしくは他の手段により、使用者もしくは患者に適用する最適な領域を示すための検知手段を含んでいない。本願発明の携帯式励起端末もしくは機器の少なくとも一例のハウジングの寸法と人間工学的形状は、手のひらの中心などの体の中でのＥＭ波が照射されるべき正しい場所を特定するのに役立つ有利な機能性を提供する寸法と形状である。例えば、手の平もしくは足の裏に適用する有利な効果に加えて、患者の痛みもしくは不快に感じる場所に最も近いもしくはその付近の経穴での治療に有利な効果があるあることがわかっている。患者が自分で示したポイントの治療でも効果がある場合もあるが、この効果は不確定的で、適切な電磁特徴もしくは磁性特徴を有していない治療セッションは無駄なこともある。
【０１８４】
ここに記載したように、中国の医師により開発された体の経絡を使って（鍼灸を含む中国医学の様々な分野で数百年にわたり使われている）、本願発明の携帯式機器単独で、さらには外部サーバー、その処理能力および解析能力および多数の患者の病気および治療方法を含むデータベースなどを含むシステムと組み合わせて使用すると、特定の病気、状態および体の機能を標的にすることができる。また、補助システムは、波形を形成し、さらに他の硬度な機能を提供する携帯式励起端末にもしくはから、データを分類およびロードする手段とメカニズムを提供するが、治療のための電磁波を実際に形成するのは携帯式機器自体である。補助システムとサーバーとワイヤレス携帯電話接続（もしくは他のコミュニケーションリンクもしくはシステム）を利用する有利な点は、携帯式機器をより安価なものにし、購入者がすでに携帯電話を持っているため、少なくとも部分的に安価な値段で売ることができる。また、該機器がより少ない電力で動くのを可能にし、さらに場合によっては、より小さなサイズで動くことも可能である。さらに、場合によっては、電磁波形成回路は、サーバーへの長距離コミュニケーションに使われているものと同じ装置内に物理的にあると、特定のプロセッサーもしくはロジック回路の妨げとなることがあり、そのためコミュニケーションロジックと処理ロジックとを、実際の電磁波形成回路とエミッタとから物理的に分けたことには技術的に有利な点がある。いくつかの非限定的例では、ローカルブルートゥースワイヤレスシグナルなどのコミュニケーションは、電磁波照射の間に起こってもよく、もしくはデータの交換のためにごく短い瞬間だけ照射を止めてもよい。
【０１８５】
本願発明の携帯式励起端末もしくは機器（単独でもしくはシステム構成部材との組み合わせで）は、患者の体の特徴および治療されるべき状態に、動的に標準を定めた波形、さらにカスタマイズおよび調整された波形を提供する。従来のシステムは、すべての人に同じ波形および同じ特徴の波形を使用しており、変化できることと言えば、固定された波形の振幅だけであった。
【０１８６】
市場にある従来の機器およびシステムは、異なる電磁場強度および／または振幅（しかしパルスシステムを利用するのであれば、同じ波形のみを使用）をサポートしており、このような一つの波形システムおよび機器では、異なる患者のタイプ、患者の状態および患者の使用をカバーするのに該一つの波形が唯一で十分であるとしている。
【０１８７】
比較として、本願発明の携帯式励起端末もしくは機器およびシステムは、治療中にプログラムにより、もしくは治療中にあるセンサーにより回収された患者のデータからの検知されたフィードバックを使って、異なる波形および異なる波形特徴（動的に波形形状、種類、周波数、パルスおよび／または振幅特徴などを変更できる）を使い、それにより様々な使用者のうちの特定の患者に対する効果を最大にする（さらに、体の異なる機能を標的にすることができる）。
【０１８８】
したがって、本願発明の観点は、振幅もしくは電磁場強度のみ以上のものを変化するための手段および方法を提供ことであり、さらに電磁場に対する耐性及び感受性の異なるそれぞれの人が、振幅および電磁場強度の変更だけでなく、典型的には異なる波形の種類および特徴から異なる効果を享受できるようにすることである。
【０１８９】
さらに、本願発明の、患者の心拍および／または他の身体的特徴を検知もしくはモニターするための携帯式励起端末もしくは機器、治療機器およびシステム、手段および方法は、（ａ）所望であれば、治療の箇所において心拍と心拍の間に照射するパルスが異なる一以上のパルス照射波形を同調させる、およびまたは（ｃ）波形の種類もしくは特徴を丁寧に調整もしくはカスタマイズするために患者の反応をモニターする。前述のように、デジタルパルス列を使用し、その後フィルターをかけるもしくはそのパルス列をデジタル‐アナログ変換して、インダクタ要素駆動シグナルを発生させることは、異なる波の種類と、パルスが照射されていても照射されていなくても、発生したＥＭ波を正確かつ丁寧に調整することとの双方を可能にする。
【０１９０】
ここに記載する治療例では、心拍と照射したＥＭ波パルスの同調であり、記載した同調は、照射したＥＭ波の周波数（例えば、約３０Ｈｚ）を心拍（例えば１分間に６０回、または１秒間もしくは１Ｈｚに１回）と同調させたわけではなく、これらが同じ周波数にあるとして、典型的な心拍は１分間に５０〜１２０回の範囲にあり、ＥＭパルス照射の周波数は２０から１００Ｈｚ（１秒間に）の範囲であり、特定の例では、実質的に３０Ｈｚである。
【０１９１】
前述の同調は、治療箇所での心拍に対応する時点での波形および／またはその特徴を変化させる（もしくは局所の血圧を検知もしくは変更させる）ことを意味する。この変化は、特異的で異なるパルス特徴から特定の効果を短い時間で体が享受するため、効果的である。心拍に一つもしくは小さいセットのＥＭ波を合わせることは、特別な波形を低い繰り返し率において適用する予期できる好機を提供し、そして体を一定の作動モードにおいて維持する。
【０１９２】
おおよそ心拍の時に、電磁パルス波形を一以上の異なる波形に変化および／または置換を同調させ、そしてその後もとの波形に戻すというのが本願発明の観点であることは記載したが、この同調は多数の割合で行われる。例えば、心拍が１分間に８０回（ｂｐｍ）であれば、変更された同調したＥＭ波は１分間に４０変化、１分間に８０変化、１分間に１６０変化もしくは他の割合もしくは多数の割合などの割合で照射され、これは患者に対してカスタマイズ可能な所定のもしくは動的に決められたルールもしくは規則にしたがって、経穴において、心拍もしくは脈拍のタイミングに合わせた波形パルスの特徴の変化をもたらしている。
【０１９３】
非限定的一例において、携帯式機器によるセンサーは、ＥＭ波の適用のポイント、もしくはＥＭ波が適用される異なる場所（例えば、経穴など）の近くを流れる血液の脈を検知してもよく、そして血流パターンと自己同調する。これは脈もしくは心拍に何らかの異常が患者にある場合に特に有利である。一例では、治療する場所（例えば、手の指先、足、もしくは経穴もしくは複数の経穴など）において、一般的には脈を検知するのに加速度計を使用する。他の例では、赤外線トランシーバーが、脈を検知するのに使われ、例えば、手の形状をしたハウジングと組み合わせて指先において検知し、ここでは、赤外線検知器は、ハウジング内にあり、ハウジングには開口部があって、ここを通って赤外線が照射される。ハウジングにおいては、携帯式機器を保持する際には、指は該開口部と当然接触する。患者の体の上に多数の携帯式機器が置かれている場合、より同時性のある、もしくはリアルタイムな心拍、局所的な血圧の検知、または他の状態の検知により、固定された周波数に依存するよりも、ＥＭ波パルスをより同調して適用することが可能になる。例えば、例示として、しかしながらこれに限定されるわけではないが、３０Ｈｚのセットの波形パルスを、心拍の間に体の一部に適用し、適用の割合は、局所的な脈と１秒間に１回同調するようにされ、しかしながら、もし脈がいくらか不規則であった場合、適用周波数は、不規則な心拍と局所的な脈を追う。心拍もしくは脈が、例えば、±０．５秒以上ＥＭ波パルスとずれている場合、ＥＭ波も同じように０．５±秒早くするか遅くする。
【０１９４】
なお、波形は、動的かつプログラム可能であり、どの波形特徴も治療中に変えることができる。例えば、治療が低強度の三角波で始まり、高強度の正弦波で終わると、もしくは、他のより複雑な波のセットが最大の効果を得られると分かっている場合、本願発明の携帯式励起端末もしくは機器は、直接もしくはシステムとコミュニケーションインターフェースを介して遠隔操作によりそのように行うようにできる。
【０１９５】
ここに記載のように、本願発明の特別な特徴および有利な点は、ＥＭ場をヒトの体の小さな局所部位に適用することである。手の平の表面、ヒトの足の裏、および伝統的鍼灸／経穴に沿った部位に対しての治療では、特に有益な効果が得られている。該機器の一形態では、ハウジング内で覆われるようになっていて、すなわち治療の間、患者の手の平に納まるように形づくられ、これは手の平での治療が、特に循環器系の症状に関しては、非常に優れた結果を示しているからである。
【０１９６】
コンピューターサーバーおよびデータベースおよびシステムなどのコンピューターの非限定的例示において、該携帯式励起端末機器として使われる。非限定的システム構成は、コンピューターもしくはサーバー＜<＞携帯ネットワーク＜<＞患者の携帯電話＜<＞携帯機器コミュニケーション経路を提供する。この構成は、以下に示すいくつかの有利な点、機能性、および特徴を有している。
【０１９７】
（１）種々の波形デジタルエンコードを保存（および取得）し、患者‐波形のマッピング関連性を維持するデータベースとして機能する。
【０１９８】
（２）患者および各患者に関係する詳細（すなわち、用量の詳細、生体フィードバック情報および波形の詳細、カスタム化、治療歴、および結果、および他の情報）のデータベースを維持する。
【０１９９】
（３）医師、使用者、もしくは他の治療提供者もしくは施術者に、治療歴、患者の体および／または電子的特徴、患者の体の治療の場所、および他のカスタム化要因などの要因に基づいて波形を作成／編集するためのプラットフォームを提供する。皮膚病、治療箇所の下にある脂肪組織の量、通常の心拍数、および／または他の体の要因などの要因も、波形選択およびここにより詳細に記載する使用方法に関係してくる。
【０２００】
（４）特定の治療セッションに使用される波形などを含む波形を現すエンコードされたデータを患者もしくは特定の患者に使用されるべき携帯式ユニットに送る（もしくはリクエストに応じて送る）。なお、携帯式ユニットは、異なる患者に使われるようにされており、そして異なる患者に対して別の患者のデータを不注意にも使ったりしないように安全基準もしくはルールが提供されており、そして治療結果が統計もしくは他の解析手段に用いられる際には、患者の個人情報が異なる用途に使われたり交換されたりしないようになっている。
【０２０１】
例えば、タイムアウト特徴、もしくは治療波形を一回の使用だけに限定、もしくはある程度の時間使用する（例えば、一か月間など）もしくは他のセキュリティーもしくは安全性などが使われていてもよい。当然ながら、場合によっては、波形は、ある程度一般的であってもよく、患者のカスタム化の開始点として使われてもよい。これらの一般的な開始波形は、このような厳重な安全を有していなくてもよい。
【０２０２】
例えば、タイムアウト特徴、もしくは治療波形を一回の使用だけに限定、もしくはある程度の時間使用する（例えば、一か月間など）、もしくは他のセキュリティーもしくは安全性などが使われていてもよい。例えば、一日の治療セッションの回数、一日の合計治療セッション時間、連続した治療の最大時間、もしくは他の制限もしくは許可状態もしくはパラメーターなどの他の安全性もしくはセキュリティー特性と組み合わされていてもよい。当然、場合によっては、ある程度一般的であってもよく、患者のカスタム化の開始点をして使われてもよい。これらの一般的な開始波形は、このような厳重な安全を有していなくてもよい。しかしながら、このある程度一般的な波形においても、制限が適用されてもよい。
【０２０３】
患者に治療を行う医師（もしくは他の提供者）にも、治療を管理する直接的なインターフェースが提供される。
【０２０４】
ここで記載するように、携帯電話チャンネルだけが、エンコードされた波形ファイルをダウンロードするための経路である必要はない。別の実施形態では、該情報はインターネットもしくはどのネットワーク、どのＰＣを介して送られてもよく、それによりＰＣは波形ファイルを手持ち式機器を介してＵＳＢポートにダウンロードできる。
【０２０５】
携帯式励起機器は、病院、施術者もしくは他の末端の使用者へ販売することができる。もしくは、携帯式励起ユニットは、定期的な支払い（日、週、月、年など）により利用ごと、回数ごと、もしくは定期的支払の組み合わせによりレンタルもしくはリースされてもよい。
【０２０６】
いくつかの購入理論にもとづき、種々の予約購入モデルおよびビジネス購入モデルが利用されてもよい。例えば、細胞もしくは組織励起ユニットは、購入されてもよく、または予約をして、利用ごとに、もしくは合計利用時間ごとに、カスタム化サービスにつき、解析サービスにつき、もしくは他の方法につき支払ってもよい。
【０２０７】
さらに、データ提供者に支払う収入モデルがあってもよく、新しい波形がダウンロードもしくはカスタマイズされた際には料金が発生するようになっている。サーバーシステムを作動するための費用を少なくとも相殺する収入を提供する追加の定期的支払であってもよい。この点に関して、別の他の例として、波形は、（内部識別評もしくはシリアル番号などを使って）特定の携帯式励起端末および選択的には特定の患者に特異的であってもよい。これらは、なんらかの方法で、暗号化されていてもよく、それにより別の携帯式機器もしくは別の患者の間で交換できないようにする。これは、患者の安全性スタンダードと、販売および収入のスタンダードの両方の面において、有益である。
【０２０８】
携帯式機器および／またはシステムおよびシステムのデータベース要素の使用は、したがって、ワイヤレスコミュニケーションリンクを介して該機器に入力もしくは送信されるいくつかのパスワードと識別評に依存している。携帯式機器に必須ではないが、ナンバーコード、アルファベットコード、および／または他の情報を提供するタッチスクリーン入力インターフェースなどの入力インターフェースが提供されていてもよい。入力インターフェースは、ディスプレイを有する小さなタッチスクリーンや別の機器の例では出力を有するハードウェアを有していてもよい。
【０２０９】
携帯式および好ましくはバッテリー電源励起端末もしくは機器と外部サーバーおよびデータべースの間のコミュニケーション接続を提供する種々のシステムについてここに記載する。携帯電話は広く普及しているため、携帯式励起端末もしくはこのようなサーバーおよびデータベースのコミュニケーション手段として、このような携帯電話を利用できることは、別のコミュニケーションリンクを必要としないため、技術的有益性と費用効果の両方を達成している。携帯電話（たとえば、スマートフォンなど）がブルートゥースおよび／またはＷｉＦｉもしくは他のローカルコミュニケーションリンクを有していると、さらにこの効果が向上し、それによりブルートゥースおよび／またはＷｉＦｉを使って、携帯電話が励起端末との間でデータの交換もしくは他の情報の交換をできるようにし、そして携帯電話は長距離でも携帯インフラを使ってサーバーとコミュニケーションをとる。ＷｉＦｉもしくは他のネットワークもこのような接続に提供され、利用可能である。
【０２１０】
携帯電話は、有利には、患者が望めば、携帯ネットワークを介してデータを受信するブリッジとして機能する。これは、患者にとって、一日のうちの異なる場所で彼／彼女が動きまわったとしても、最大の可動性を付与する。また、ほとんどの患者が携帯電話とコミュニケーションサーバーにアクセスできるものと想定されるため、コミュニケーション能力を実質的に費用なしで提供できる。さらには、いくつかの携帯電話ネットワークとコミュニケーションプロトコルは、携帯電話インフラストラクチャを介してやりとりは行われる情報を暗号化し、患者の健康に関する重要な情報のセキュリティー面に対する手立てが自動的に提供される。
【０２１１】
データを受信すると、携帯電話は、受信した情報をローカルＲＦチャンネル（すなわち、ブルートゥース、ＷｉＦｉ、もしくは他の有線もしくは無線接続）を介して手持ち式ユニットに転送する。
【０２１２】
選択的には、携帯電話機能は、携帯式機器内に付与されていてもよいが、しかしながらこれは携帯式ユニットの費用を上げてしまい、さらに追加のサービス料を発生させる可能性があるため、不利である。
【０２１３】
携帯電話の態様としては、少なくとも二つの異なるものが考えられる：
（ａ）データを受信および転送する携帯電話アプリケーション、および（ｂ）携帯式励起端末もしくは機器がモバイルユニットであり携帯電話がサーバーに発信するようにするビルトイン情報を有している。
【０２１４】
さらなる別の例示では、携帯式励起端末ユニットは、選択的にワイヤレスコミュニケーション機能を提供されていてもよく、それにより別の携帯電話を使用しなくてもデータおよび波形の送信および／または受信を直接行えるようにする。
実験結果
【０２１５】
波形およびシグナルは、実際の患者への実験データに基づき、波形およびシグナルは少なくとも一部は特定されるものであって、そして理論により提供されるわけではない。
【０２１６】
図９ａおよび図９ｂは、本願発明に治療の前と後の比較図もしくは顕微鏡写真図（拡大された血液細胞）であり、本願発明に係る治療計画で６人の異なる患者を治療した前と後の血液に対する効果を示している。図９ａでは、本願発明に係る上述の治療機器およびシステムを８分間適用した３つの例に関して、治療前と治療後の血液の比較をする図である。左側の図では、治療前の血液を示しており、多くの赤血球が凝集しお互いにひっついているが、８分間の治療の後の右側の図では、赤血球は比較的広がっておりあまり凝集していない。
【０２１７】
赤血球が凝集し互いに紐状に引っ付いている状態を連銭と呼ぶ。この状態は、患者の健康状態に様々な問題を引き起こしている。
【０２１８】
さらい一般的には、連銭は、直線状の積み重なりであり、もしくは赤血球の塊であり、これは、ヒトの体などの脊椎動物の体内では、赤血球が円盤状の形状をしているために引き起こされていると考えられている。円盤の平たい表面は赤血球に接触のために広い表面積を付与しており、その結果お互いに対してひっついてしまい、赤血球の塊もしくは連銭を形成する。連銭は、血しょうタンパクの濃度が高いと形成されると考えられており、そして連銭が存在すると細胞もしくは赤血球の沈殿速度が早まる。連銭および／または赤血球沈殿速度は体の病気の指標にしてもよい。連銭を起こす状態としては、感染症、多発性骨髄腫、炎症性結合組織疾患、ガンなどを含み、さらに糖尿病に関連する糖尿病性網膜症内の微小管閉塞の発達と関連していることもある。したがって、連銭の形成の排除もしくは減少は、該システム、機器、方法、および治療が、連銭の形成に対して有益な効果があったことを示しており、さらにそのもとにある病気、疾患もしくは病態にたいして有益な効果があったことを示している。
【０２１９】
図１０Ａおよび図１０Ｂは、労宮と呼ばれる手の平の経穴に８分間、３０分間、そして１２０分間（２時間）である特定の治療箇所に適用する治療計画を行った後における上腕動脈の血流依存性血管拡張（ＦＭＤ）と関連する血液特性に対する効果の比較図である。体の特定部位の経穴（手の平の経穴もしくは足の裏など）は、体の部位そのものよりも体の異なる領域に配置されている。上腕動脈は、上腕の重要な血液である。参照として、上腕の脈は、肘の近くの腕の前面側で、上腕二頭筋の真ん中で触診可能であり、聴診器おおよび血圧計もしくは血圧計カフの使用により、血圧を測っている。
【０２２０】
血流依存性血管拡張もしくはＦＭＤは、内皮の活動を示す。心内膜の内皮は、その下の心筋の活動を調整しており、心臓の活動を制御するのに重要な役割を果たす。さらに、血管の内皮は、血管平滑筋の収縮特徴を調整えることがわかっており、心内膜の内皮は、隣接する心筋の収縮を調整することがわかっている。
【０２２１】
図１０Ａでは、一患者に関し、８分間のあと、ＦＭＤが５．９％から９．３％へと増加し、血液パラメーターも明らかに向上した。
【０２２２】
図１０Ｂでは、別の患者において、２時間後、ＦＭＤが１３．８％から１４．３％に増加し、血液パラメーターも明らかに向上した。採血という用語は、ＦＭＤテストを行った体のポイントもしくは部位を意味し、計測に際し、体の部位もしくは血管を絞ったもしくは縛った場所を意味し、出血ではない。
【０２２３】
図７から図１０のデータ解析から、本願発明に関する治療計画は、実際に明らかな治療効果と技術的効果を有し、特に、図示および記載した種類のＥＭ波を手の平もしくは足の平もしくは双方に適用したときに効果がある。
【０２２４】
上述では、本願発明の基本的な論理、重要な特徴さらに実施例の有利な効果のみを記載している。当該分野の通常の知識を有する者であれば、本願発明は、上述の実施形態および実施例にのみ限定されるものではなく、上述の実施例および実施形態は、本願発明の基本的構成のみを記載している。本願発明の範囲を逸脱しない範囲において、種々の変更、改善は行われてもよく、すべての変更および改善は、本願発明の範囲に入るものである。本願発明の権利範囲は、添付の特許請求の範囲に記載している。
【図１】
0005883010.tif 000006
【図２】
0005883010.tif 000007
【図３】
0005883010.tif 000008
【図４】
0005883010.tif 000009
【図５】
0005883010.tif 000010
【図６】
0005883010.tif 000011
【図７】
0005883010.tif 000012
【図８】
0005883010.tif 000013
【図９Ａ】
0005883010.tif 000014
【図９Ｂ】
0005883010.tif 000015
【図１０Ａ−１】
0005883010.tif 000016
【図１０Ａ−２】
0005883010.tif 000017
【図１０Ｂ−１】
0005883010.tif 000018
【図１０Ｂ−２】
0005883010.tif 000019
【図１１】
0005883010.tif 000020
【図１２Ａ】
0005883010.tif 000021
【図１２Ｂ】
0005883010.tif 000022
【図１２Ｃ】
0005883010.tif 000023
【図１２Ｄ】
0005883010.tif 000024
【図１２Ｅ】
0005883010.tif 000025
【図１２Ｆ】
0005883010.tif 000026
【図１２Ｇ】
0005883010.tif 000027
【図１２Ｈ】
0005883010.tif 000028
【図１３Ａ】
0005883010.tif 000029
【図１３Ｂ】
0005883010.tif 000030
【図１３Ｃ】
0005883010.tif 000031
【図１３Ｄ】
0005883010.tif 000032